(57)【要約】【課題】  光学ユニット、これに採用された光再生部材の製造方法及びこれを有する表示装置が開示されている。【解決手段】  光学ユニットは、非可視光線を可視光線に変更させる光源及び可視光線の経路上に配置され、光源から漏洩した非可視光線を可視光線に再生する光再生部材を含む。光再生部材は、光源の外部に漏洩した非可視光線の進行経路上に配置され、光源の外部に漏洩した非可視光線を可視光線に変更する。これによって、光源から発生される可視光線の光量を増加させ、表示装置で発生された画像の輝度を増加させて画像の表示品質をより向上させる。【選択図】    図１
2006085121.tif 000002
【特許請求の範囲】
【請求項１】
非可視光線を生成し、前記非可視光線の多くを可視光線に変更させる光源と、
前記光源から発生されて前記可視光線に変更されず、残留する非可視光線を追加可視光線に再生する光再生部材と、を含むことを特徴とする光学ユニット。
【請求項２】
前記光再生部材は、前記光源の表面に一体に形成されていることを特徴とする請求項１記載の光学ユニット。
【請求項３】
前記光源は、前記可視光線を集光するために前記光源を部分的に囲む光反射カバーを含み、前記光再生部材は、前記光源と向い合う前記光反射カバーの内側面に形成されたことを特徴とする請求項１記載の光学ユニット。
【請求項４】
前記光源は、円柱の形状を有することを特徴とする請求項１記載の光学ユニット。
【請求項５】
前記光源と隣接する位置には、前記可視光線の光学分布を変更するための導光板が配置され、前記光再生部材は、前記光源と向い合う前記導光板の光入射面に配置されたことを特徴とする請求項１記載の光学ユニット。
【請求項６】
前記光源と隣接した位置には、前記可視光源の光学分布を変更するための導光板が配置され、前記光再生部材は、ビード（ｂｅａｄ）の形状で前記導光板の内部に複数個が配置されたことを特徴とする請求項１記載の光学ユニット。
【請求項７】
前記光源と隣接した位置には、前記可視光源の光学分布を変更するための導光板が配置され、前記光再生部材は、前記可視光線が出射される前記導光板の光出射面に配置されたことを特徴とする請求項１記載の光学ユニット。
【請求項８】
前記光源と隣接した位置には、前記可視光線の光学分布を変更するための導光板が配置され、前記光再生部材は、前記導光板から前記可視光線が出射される前記光出射面と向い合う光反射面に配置されることを特徴とする請求項１記載の光学ユニット。
【請求項９】
前記光源と隣接した位置には、前記可視光線の光学分布を変更するための導光板が配置され、前記導光板のうち、前記光源に入射された前記可視光線が出射される光出射面と向い合う位置には反射板が配置され、前記光再生部材は、前記反射板に形成されたことを特徴とする請求項１記載の光学ユニット。
【請求項１０】
前記光源と隣接した位置には、前記可視光線の光学分布を変更するための導光板が配置され、前記導光板のうち、前記光源に入射された前記可視光線が出射される光出射面と向い合う位置には光学部材が配置され、前記光再生部材は、前記光学部材に形成されたことを特徴とする請求項１記載の光学ユニット。
【請求項１１】
前記非可視光線は、紫外線であることを特徴とする請求項１記載の光学ユニット。
【請求項１２】
前記光再生部材は、前記漏洩した非可視光線を可視光線に変更させる蛍光体及び前記蛍光体が薄膜の形状をなすように前記蛍光体に混合された高分子バインダーを含むことを特徴とする請求項１記載の光学ユニット。
【請求項１３】
前記高分子バインダーは、紫外線開始剤、光重合成モノマー又はオリゴマーを含むことを特徴とする請求項１２記載の光学ユニット。
【請求項１４】
前記光重合成モノマーは、アクリレート系モノマー、エポキシアクリレート系モノマー、ポリエステルアクリレート系モノマー及びウレタンアクリレート系モノマーで構成された群から選択された一つ以上のモノマーを含むことを特徴とする請求項１３記載の光学ユニット。
【請求項１５】
前記オリゴマーは、アクリレート系モノマー、エポキシアクリレート系モノマー、ポリエステルアクリレート系モノマー及びウレタンアクリレート系モノマーで構成された群から選択された一つ以上のモノマーを含むことを特徴とする請求項１３記載の光学ユニット。
【請求項１６】
前記紫外線開始剤は、アセトフェノン系開始剤、ベンゾフェノン系開始剤及びチオキサントン系開始剤で構成された群から選択された一つ以上を含むことを特徴とする請求項１３記載の光学ユニット。
【請求項１７】
前記光再生部材は、
（１）２，２’（２，５−ｔｈｉｏｐｈｅｎｅｄｉｙｌ）ｂｉｓ[５−（１，１−ｄｉｍｅｔｈｙｌｅｔｈｙｌ）ｂｅｎｚｏｘａｚｏｌｅ]と、
（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、
（３）２−ｃｙａｎｏ−１，３−Ｎ，Ｎ−ｄｉｅｔｈｙlamino−３−ｉｍｉｎｏｂｅｎｚｉｍｉｄａｚｏｌｏ[１，２−ａ]ｐｙｒｉｄｉｎｏ[３，４-b]-２H−ｃｈｒｏｍｅｎｅで構成された群から選択された一つ以上の蛍光体と、を含むことを特徴とする請求項１記載の光学ユニット。
【請求項１８】
前記光再生部材の前記蛍光体は、同じ合量で配合されたことを特徴とする請求項１７記載の光学ユニット。
【請求項１９】
前記光再生部材は、
（１）２，２（４，４−ｄｉｐｈｅｎｏｌｖｉｎｙｌ）ｄｉｂｅｎｚｏｘａｚｏｌｅと、
（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、
（３）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅで構成された群から選択された一つ以上の蛍光体を含むことを特徴とする請求項１記載の光学ユニット。
【請求項２０】
前記（１）乃至（３）の蛍光体は、それぞれ２：１：１．５の合量で配合されたことを特徴とする請求項１９記載の光学ユニット。
【請求項２１】
前記光再生部材は、
（１）１，４−ｂｉｓ（ｂｅｎｚｏｘａｚｏｌｙｌ−２−ｙｌ）ｎａｐｈｔｈａｌｅｎｅ
（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、
（３）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅで構成された群から選択された一つ以上の蛍光体を含むことを特徴とする請求項１記載の光学ユニット。
【請求項２２】
前記（１）乃至（３）の蛍光体は、それぞれ１：２：１．５の合量で配合されたことを特徴とする請求項２１記載の光学ユニット。
【請求項２３】
前記光源は、第１方向に延在し、前記第１方向と実質的に直交する第２方向に少なくとも二つが並列配置されたことを特徴とする請求項１記載の光学ユニット。
【請求項２４】
前記光源の下部には反射板が配置され、前記光再生部材は前記反射板に形成されたことを特徴とする請求項２３記載の光学ユニット。
【請求項２５】
前記光源の上部には光源部材が配置され、前記光再生部材は前記光学部材に形成されたことを特徴とする請求項２３記載の光学ユニット。
【請求項２６】
前記光学部材は、前記可視光線及び前記追加可視光線を拡散させる拡散プレートであることを特徴とする請求項２５記載の光学ユニット。
【請求項２７】
前記光源は、前記非可視光源を可視光源に変更するための複数の発光空間が並列配置された直六面体の形状を有する発光本体を含み、前記光再生部材は、前記発光本体に形成されたことを特徴とする請求項１記載の光学ユニット。
【請求項２８】
光源から可視光線に変更されない非可視光源を可視光源に再生する光再生部材を製造する方法において、
前記非可視光線を追加可視光線に変更させるために蛍光体及び高分子バインダーが混合された蛍光体混合物を形成する段階と、
前記蛍光体混合物を前記非可視光線を前記追加可視光線に変更させるために、前記非可視光線の進行経路上に配置された光学ユニットに光重合反応によって薄膜形態で形成する段階と、を含むことを特徴とする光再生部材の製造方法。
【請求項２９】
前記高分子バインダーは、紫外線開始剤、光重合成モノマー又はオリゴマーを含むことを特徴とする請求項２８記載の光再生部材の製造方法。
【請求項３０】
前記光重合成モノマーは、アクリレート系モノマー、エポキシアクリレート系モノマー、ポリエステルアクリレート系モノマー及びウレタンアクリレート系モノマーで構成された群から選択された一つ以上を含むことを特徴とする請求項２９記載の光再生部材の製造方法。
【請求項３１】
前記オリゴマーは、アクリレート系モノマー、エポキシアクリレート系モノマー、ポリエステルアクリレート系モノマー及びウレタンアクリレート系モノマーで構成された群から選択された一つ以上のモノマーを含むことを特徴とする請求項２９記載の光再生部材の製造方法。
【請求項３２】
前記紫外線開始剤は、アセトフェノン系開始剤、ベンゾフェノン系開始剤及びチオキサントン系開始剤で構成された群から選択された一つ以上を含むことを特徴とする請求項２９記載の光再生部材の製造方法。
【請求項３３】
前記蛍光体は、
（１）２，２’（２，５−ｔｈｉｏｐｈｅｎｅｄｉｙｌ）ｂｉｓ[５−（１，１−ｄｉｍｅｔｈｙｌｅｔｈｙｌ）ｂｅｎｚｏｘａｚｏｌｅ]と、
（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、
（３）２−ｃｙａｎｏ−１，３−Ｎ，Ｎ−ｄｉｅｔｈｙlamino−３−ｉｍｉｎｏｂｅｎｚｉｍｉｄａｚｏｌｏ[１，２−ａ]ｐｙｒｉｄｉｎｏ[３，４-b]-２H−ｃｈｒｏｍｅｎｅで構成された群から選択された一つ以上を含むことを特徴とする請求項２８記載の光再生部材の製造方法。
【請求項３４】
前記蛍光体は、
（１）２，２（４，４−ｄｉｐｈｅｎｏｌｖｉｎｙｌ）ｄｉｂｅｎｚｏｘａｚｏｌと、
（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、
（３）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅで構成された群から選択された一つ以上を含むことを特徴とする請求項２８記載の光再生部材の製造方法。
【請求項３５】
前記蛍光体は、
（１）１，４−ｂｉｓ（ｂｅｎｚｏｘａｚｏｌｙｌ−２−ｙｌ）ｎａｐｈｔｈａｌｅｎｅ
（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、
（３）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅで構成された群から選択された一つ以上の蛍光体を含むことを特徴とする請求項２８記載の光再生部材の製造方法。
【請求項３６】
前記蛍光体混合物は、終端面がプリズムの形状を有する薄膜の形態で前記光学ユニットに形成されたことを特徴とする請求項２８記載の光再生部材の製造方法。
【請求項３７】
非可視光線を生成し、前記非可視光線の多くを可視光線に変更させる光源及び前記光源から発生されて前記可視光線に変更されず、残留する非可視光線を追加可視光線に再生する光再生部材を含む光学ユニットと、
前記可視光線を情報が含まれたイメージ光に変更する表示パネルと、を含むことを特徴とする表示装置。
【請求項３８】
前記光再生部材は、前記光源の表面に形成された高分子蛍光層を含むことを特徴とする請求項３７記載の表示装置。
【請求項３９】
前記光源と隣接した位置には、前記可視光線の光学分布を変更させる導光板が配置され、前記光再生部材は、前記導光板の光入射面に配置されたことを特徴とする請求項３７記載の表示装置。
【請求項４０】
前記光源と隣接した位置には、前記可視光線の光学分布を変更させるための導光板が配置され、前記光再生部材は、前記導光板の光入射面に連結された光出射面及び/又は光反射面に形成されたことを特徴とする請求項３７記載の表示装置。
【請求項４１】
前記光源と隣接した位置には、前記可視光線の光学分布を変更させるための導光板が配置され、前記光再生部材は、前記導光板の光入射面に連結された光出射面と向い合う位置に形成されたことを特徴とする請求項３７記載の表示装置。
【請求項４２】
前記光源と隣接した位置には、前記可視光線の光学分布を変更させるための導光板が配置され、前記光再生部材は、前記導光板の光入射面に連結された光出射面と向い合う位置に配置された光学部材に形成されたことを特徴とする請求項３７記載の表示装置。
【請求項４３】
前記光源は、第１方向に配置され、前記第１方向と実質的に直交する第２方向に少なくとも二つが配置されたことを特徴とする請求項３７記載の表示装置。
【請求項４４】
前記光源は、第１方向に配置され、前記第１方向と実質的に直交する第２方向に少なくとも二つが配置され、前記光源の上面には光学部材が配置され、前記光再生部材は前記光学部材に形成されたことを特徴とする請求項３７記載の表示装置。
【請求項４５】
前記光源は、前記非可視光線を可視光線に変更するための複数の発光空間が並列配置された直六面体の形状を有する発光本体を含み、前記光再生部材は、前記発光本体に形成されたことを特徴とする請求項３７記載の表示装置。
【請求項４６】
前記表示パネルは、
第１電極を有して前記光源と向い合う第１基板と、
前記第１基板と向い合い、第２電極を有する第２基板と、
前記第１基板と第２基板との間に介在された液晶層と、を含むことを特徴とする請求項３７記載の表示装置。
【請求項４７】
前記光再生部材は、前記光源と向い合う前記第１基板に形成されたことを特徴とする請求項４６記載の表示装置。
【発明の詳細な説明】
【技術分野】
【０００１】
本発明は、光学ユニット、これに採用された光再生部材の製造方法及びこれを有する表示装置に関するものである。
【背景技術】
【０００２】
最近、多様な表示装置、例えば、液晶表示装置（ＬＣＤ）、有機電界発光表示装置（ＯＬＥＤ）、プラズマ表示パネル（ＰＤＰ）などが開発されつつある。
【０００３】
これの表示装置のうち、液晶表示装置は、液晶（Ｌｉｑｕｉｄ  Ｃｒｙｓｔａｌ）を含む。液晶は、外部から印加された電界（ｅｌｃｔｒｉｃ  ｆｉｅｌｄ）によって液晶分子の配列が変更される電気的な特性及び液晶分子の配列に対応して光の透過率を変更させる光学的特性を有する。
【０００４】
液晶表示装置は、このような液晶の電気的な特性及び光学的特性を利用して画像を表示する。従って、液晶表示装置は、画像を表示するために液晶に電界を印加する電界発生装置（ｅｌｅｃｔｒｉｃ  ｆｉｅｌｄ  ｇｅｎｅｒａｔｉｎｇ  ｄｅｖｉｃｅ）及び液晶に光を提供するための光提供装置（ｌｉｇｈｔ  ｐｒｏｖｉｄｉｎｇ  ｄｅｖｉｃｅ）を必要とする。
【０００５】
光提供装置としては、発熱量が小さく、長い寿命（ｌｏｎｇ  ｌｉｆｅ−ｔｉｍｅ）を有し、太陽光と類似である可視光線（ｖｉｓｉｂｌｅ  ｒａｙ）を発生する放電ランプ（ｄｉｓｃｈａｒｇｅ  ｌａｍｐ）が主に用いられる。
【発明の開示】
【発明が解決しようとする課題】
【０００６】
従来の放電ランプは、可視光線だけでなく、少量の非可視光線、例えば、紫外線（ｕｌｔｒａｖｉｏｌｅｔ  ｒａｙ）が放電ランプから放出される問題点を有する。
【０００７】
放電ランプから紫外線が放出される場合、放電ランプから出射される可視光線の量は減少される。
【０００８】
また、放電ランプから放出された紫外線は、液晶表示装置の多部分を劣化させる。放電ランプから放出された紫外線は液晶表示装置の光学ユニット（ｏｐｔｉｃａｌ  ｕｎｉｔ）、例えば、導光板（ｌｉｇｈｔ  ｇｕｉｄｅ  ｐｌａｔｅ）、光学シート（ｏｐｔｉｃａｌ  ｓｈｅｅｔ）などを変色させて画像の表示品質を低下させる。また、放電ランプから放出された紫外線は液晶表示装置の液晶を劣化させ、これによって液晶の寿命を短縮させる。
【０００９】
従って、本発明はこのような従来の問題点を勘案したものであって、本発明の第１目的は、画像の表示品質をより向上させるための光学ユニットを提供することにある。
【００１０】
本発明の第２目的は、前記光学ユニットに採用されて光の輝度を向上させる光再生部材の製造方法を提供することにある。
【００１１】
本発明の第３目的は、前記光学ユニットを有する表示装置を提供することにある。
【課題を解決するための手段】
【００１２】
このような本発明の目的を具現するために、本願第１発明による光学ユニットは、非可視光線を生成し、非可視光線を多くの可視光線に変更させる光源及び光源から発生されて前記可視光線に変更されず、残留する非可視光線を追加可視光線に再生する光再生部材を含む。光源からは主に可視光線が出射されるが、いろいろな理由によって微量の非可視光線が光源から漏洩する可能性がある。光源から非可視光線が漏洩する場合、可視光線の光量は、相対的に減少され、光源から漏洩した非可視光線によって光源の周辺に配置された他の部材が損傷又は劣化される可能性がある。光再生部材は、光源から漏洩した非可視光線を可視光線に再生させる。これによって、可視光線を用いて表示装置から発生された画像の輝度はより向上され、非可視光線による液晶の劣化は減少される。
【００１３】
本願第２発明は、第１発明において、前記光再生部材は、前記光源の表面に一体に形成されていることを特徴とする光学ユニットを提供する。光再生部材が光源の表面に一体に形成されることで、接着剤を含んでいないため、光源から発生した可視光線の光量が減少されることを抑制することができる。
【００１４】
本願第３発明は、第１発明において、前記光源は、前記可視光線を集光するために前記光源を部分的に囲む光反射カバーを含み、前記光再生部材は、前記光源と向い合う前記光反射カバーの内側面に形成されたことを特徴とする光学ユニットを提供する。
【００１５】
本願第４発明は、第１発明において、前記光源は、円柱の形状を有することを特徴とする光学ユニットを提供する。
【００１６】
本願第５発明は、第１発明において、前記光源と隣接する位置には、前記可視光線の光学分布を変更するための導光板が配置され、前記光再生部材は、前記光源と向い合う前記導光板の光入射面に配置されたことを特徴とする光学ユニットを提供する。
【００１７】
本願第６発明は、第１発明において、前記光源と隣接した位置には、前記可視光源の光学分布を変更するための導光板が配置され、前記光再生部材は、ビード（ｂｅａｄ）の形状で前記導光板の内部に複数個が配置されたことを特徴とする請求項１記載の光学ユニットを提供する。
【００１８】
本願第７発明は、第１発明において、前記光源と隣接した位置には、前記可視光源の光学分布を変更するための導光板が配置され、前記光再生部材は、前記可視光線が出射される前記導光板の光出射面に配置されたことを特徴とする光学ユニットを提供する。
【００１９】
本願第８発明は、第１発明において、前記光源と隣接した位置には、前記可視光線の光学分布を変更するための導光板が配置され、前記光再生部材は、前記導光板から前記可視光線が出射される前記光出射面と向い合う光反射面に配置されることを特徴とする光学ユニットを提供する。
【００２０】
本願第９発明は、第１発明において、前記光源と隣接した位置には、前記可視光線の光学分布を変更するための導光板が配置され、前記導光板のうち、前記光源に入射された前記可視光線が出射される光出射面と向い合う位置には反射板が配置され、前記光再生部材は、前記反射板に形成されたことを特徴とする光学ユニットを提供する。
【００２１】
本願第１０発明は、第１発明において、前記光源と隣接した位置には、前記可視光線の光学分布を変更するための導光板が配置され、前記導光板のうち、前記光源に入射された前記可視光線が出射される光出射面と向い合う位置には光学部材が配置され、前記光再生部材は、前記光学部材に形成されたことを特徴とする光学ユニットを提供する。
【００２２】
本願第１１発明は、第１発明において、前記非可視光線は、紫外線であることを特徴とする光学ユニットを提供する。
【００２３】
本願第１２発明は、第１発明において、前記光再生部材は、前記漏洩した非可視光線を可視光線に変更させる蛍光体及び前記蛍光体が薄膜の形状をなすように前記蛍光体に混合された高分子バインダーを含むことを特徴とする光学ユニットを提供する。
【００２４】
本願第１３発明は、第１２発明において、前記高分子バインダーは、紫外線開始剤、光重合成モノマー又はオリゴマーを含むことを特徴とする光学ユニットを提供する。
【００２５】
本願第１４２発明は、第１３発明において、前記光重合成モノマーは、アクリレート系モノマー、エポキシアクリレート系モノマー、ポリエステルアクリレート系モノマー及びウレタンアクリレート系モノマーで構成された群から選択された一つ以上のモノマーを含むことを特徴とする光学ユニットを提供する。
【００２６】
本願第１５発明は、第１３発明において、前記オリゴマーは、アクリレート系モノマー、エポキシアクリレート系モノマー、ポリエステルアクリレート系モノマー及びウレタンアクリレート系モノマーで構成された群から選択された一つ以上のモノマーを含むことを特徴とする光学ユニットを提供する。
【００２７】
本願第１６発明は、第１３発明において、前記紫外線開始剤は、アセトフェノン系開始剤、ベンゾフェノン系開始剤及びチオキサントン系開始剤で構成された群から選択された一つ以上を含むことを特徴とする光学ユニットを提供する。
【００２８】
本願第１７発明は、第１発明において、前記光再生部材は、（１）２，２’（２，５−ｔｈｉｏｐｈｅｎｅｄｉｙｌ）ｂｉｓ[５−（１，１−ｄｉｍｅｔｈｙｌｅｔｈｙｌ）ｂｅｎｚｏｘａｚｏｌｅ]と、（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、（３）２−ｃｙａｎｏ−１，３−Ｎ，Ｎ−ｄｉｅｔｈｙlamino−３−ｉｍｉｎｏｂｅｎｚｉｍｉｄａｚｏｌｏ[１，２−ａ]ｐｙｒｉｄｉｎｏ[３，４-b]-２H−ｃｈｒｏｍｅｎｅで構成された群から選択された一つ以上の蛍光体と、を含むことを特徴とする光学ユニットを提供する。
【００２９】
本願第１８発明は、第１７発明において、前記光再生部材の前記蛍光体は、同じ合量で配合されたことを特徴とする光学ユニットを提供する。
【００３０】
本願第１９発明は、第１発明において、前記光再生部材は、（１）２，２（４，４−ｄｉｐｈｅｎｏｌｖｉｎｙｌ）ｄｉｂｅｎｚｏｘａｚｏｌｅと、（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、（３）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅで構成された群から選択された一つ以上の蛍光体を含むことを特徴とする請求項１記載の光学ユニットを提供する。
【００３１】
本願第２０発明は、第１９発明において、前記（１）乃至（３）の蛍光体は、それぞれ２：１：１．５の合量で配合されたことを特徴とする光学ユニットを提供する。
【００３２】
本願第２１発明は、第１発明において、前記光再生部材は、（１）１，４−ｂｉｓ（ｂｅｎｚｏｘａｚｏｌｙｌ−２−ｙｌ）ｎａｐｈｔｈａｌｅｎｅ（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、（３）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅで構成された群から選択された一つ以上の蛍光体を含むことを特徴とする光学ユニットを提供する。
【００３３】
本願第２２発明は、第１発明において、前記（１）乃至（３）の蛍光体は、それぞれ１：２：１．５の合量で配合されたことを特徴とするの光学ユニットを提供する。
【００３４】
本願第２３発明は、第１発明において、前記光源は、第１方向に延在し、前記第１方向と実質的に直交する第２方向に少なくとも二つが並列配置されたことを特徴とする光学ユニットを提供する。
【００３５】
本願第２４発明は、第２３発明において、前記光源の下部には反射板が配置され、前記光再生部材は前記反射板に形成されたことを特徴とする光学ユニットを提供する。
【００３６】
本願第２５発明は、第２３発明において、前記光源の上部には光源部材が配置され、前記光再生部材は前記光学部材に形成されたことを特徴とする光学ユニットを提供する。
【００３７】
本願第２６発明は、第２５発明において、前記光学部材は、前記可視光線及び前記追加可視光線を拡散させる拡散プレートであることを特徴とする光学ユニットを提供する。
【００３８】
本願第２７発明は、第１発明において、前記光源は、前記非可視光源を可視光源に変更するための複数の発光空間が並列配置された直六面体の形状を有する発光本体を含み、前記光再生部材は、前記発光本体に形成されたことを特徴とする光学ユニットを提供する。
【００３９】
また、本発明の他の目的を具現するために、本願第２８発明による光再生部材の製造方法は、光源から漏洩した非可視光源を可視光源に再生する光再生部材を製造するために、非可視光線を加可視光線に変更させる蛍光体に高分子バインダーを混合して蛍光体混合物を形成し、蛍光体混合物を光源から発生されて前記可視光線に変更されず、残留する非可視光線を可視光線に変更させるために光学ユニットに薄膜形態で形成する。
【００４０】
本願第２９発明は、第２８発明において、前記高分子バインダーは、紫外線開始剤、光重合成モノマー又はオリゴマーを含むことを特徴とする光再生部材の製造方法を提供する。
【００４１】
本願第３０発明は、第２９発明において、前記光重合成モノマーは、アクリレート系モノマー、エポキシアクリレート系モノマー、ポリエステルアクリレート系モノマー及びウレタンアクリレート系モノマーで構成された群から選択された一つ以上を含むことを特徴とする光再生部材の製造方法を提供する。
【００４２】
本願第２３１発明は、第２９発明において、前記オリゴマーは、アクリレート系モノマー、エポキシアクリレート系モノマー、ポリエステルアクリレート系モノマー及びウレタンアクリレート系モノマーで構成された群から選択された一つ以上のモノマーを含むことを特徴とする光再生部材の製造方法を提供する。
本願第３２発明は、第２９発明において、前記紫外線開始剤は、アセトフェノン系開始剤、ベンゾフェノン系開始剤及びチオキサントン系開始剤で構成された群から選択された一つ以上を含むことを特徴とする光再生部材の製造方法を提供する。
【００４３】
本願第３３発明は、第２８発明において、前記蛍光体は（１）２，２’（２，５−ｔｈｉｏｐｈｅｎｅｄｉｙｌ）ｂｉｓ[５−（１，１−ｄｉｍｅｔｈｙｌｅｔｈｙｌ）ｂｅｎｚｏｘａｚｏｌｅ]と、（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、（３）２−ｃｙａｎｏ−１，３−Ｎ，Ｎ−ｄｉｅｔｈｙlamino−３−ｉｍｉｎｏｂｅｎｚｉｍｉｄａｚｏｌｏ[１，２−ａ]ｐｙｒｉｄｉｎｏ[３，４-b]-２H−ｃｈｒｏｍｅｎｅで構成された群から選択された一つ以上を含むことを特徴とする光再生部材の製造方法を提供する。
【００４４】
本願第３４発明は、第２８発明において、前記蛍光体は、（１）２，２（４，４−ｄｉｐｈｅｎｏｌｖｉｎｙｌ）ｄｉｂｅｎｚｏｘａｚｏｌと、（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、（３）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅで構成された群から選択された一つ以上を含むことを特徴とする光再生部材の製造方法を提供する。
【００４５】
本願第３５発明は、第２８発明において、前記蛍光体は、（１）１，４−ｂｉｓ（ｂｅｎｚｏｘａｚｏｌｙｌ−２−ｙｌ）ｎａｐｈｔｈａｌｅｎｅ（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、（３）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅで構成された群から選択された一つ以上の蛍光体を含むことを特徴とする光再生部材の製造方法を提供する。
【００４６】
本願第３６発明は、第２８発明において、前記蛍光体混合物は、終端面がプリズムの形状を有する薄膜の形態で前記光学ユニットに形成されたことを特徴とする光再生部材の製造方法を提供する。
【００４７】
また、本発明のまた他の目的を具現するために本願第３７発明による表示装置は、非可視光線を生成し、非可視光線を多くの可視光線に変更させる光源及び光源から発生されて前記可視光線に変更されず、残留する非可視光線を追加可視光線に再生する光再生部材を含む光学ユニット及び可視光線を情報が含まれたイメージ光に変更する表示パネルを含む。
【００４８】
本願第３８発明は、第３７発明において、前記光再生部材は、前記光源の表面に形成された高分子蛍光層を含むことを特徴とする表示装置を提供する。
【００４９】
本願第３９発明は、第３７発明において、前記光源と隣接した位置には、前記可視光線の光学分布を変更させる導光板が配置され、前記光再生部材は、前記導光板の光入射面に配置されたことを特徴とする表示装置を提供する。
【００５０】
本願第４０発明は、第３７発明において、前記光源と隣接した位置には、前記可視光線の光学分布を変更させるための導光板が配置され、前記光再生部材は、前記導光板の光入射面に連結された光出射面及び/又は光反射面に形成されたことを特徴とする表示装置を提供する。
【００５１】
本願第４１発明は、第３７発明において、前記光源と隣接した位置には、前記可視光線の光学分布を変更させるための導光板が配置され、前記光再生部材は、前記導光板の光入射面に連結された光出射面と向い合う位置に形成されたことを特徴とする表示装置を提供する。
【００５２】
本願第４２発明は、第３７発明において、前記光源と隣接した位置には、前記可視光線の光学分布を変更させるための導光板が配置され、前記光再生部材は、前記導光板の光入射面に連結された光出射面と向い合う位置に配置された光学部材に形成されたことを特徴とする表示装置。
【００５３】
本願第４３発明は、第３７発明において、前記光源は、第１方向に配置され、前記第１方向と実質的に直交する第２方向に少なくとも二つが配置されたことを特徴とする表示装置を提供する。
【００５４】
本願第４４発明は、第３７発明において、前記光源は、第１方向に配置され、前記第１方向と実質的に直交する第２方向に少なくとも二つが配置され、前記光源の上面には光学部材が配置され、前記光再生部材は前記光学部材に形成されたことを特徴とする表示装置を提供する。
【００５５】
本願第４５発明は、第３７発明において、前記光源は、前記非可視光線を可視光線に変更するための複数の発光空間が並列配置された直六面体の形状を有する発光本体を含み、前記光再生部材は、前記発光本体に形成されたことを特徴とする表示装置を提供する。
【００５６】
本願第４６発明は、第３７発明において、前記表示パネルは、第１電極を有して前記光源と向い合う第１基板と、前記第１基板と向い合い、第２電極を有する第２基板と、前記第１基板と第２基板との間に介在された液晶層と、を含むことを特徴とする表示装置を提供する。
【００５７】
本願第４７発明は、第４６発明において、前記光再生部材は、前記光源と向い合う前記第１基板に形成されたことを特徴とする表示装置を提供する。
【発明の効果】
【００５８】
本発明によると、光源から可視光線を発生する途中、光源から漏洩した非可視光線を光源の外部から可視光線に変更させ、光源から発生した可視光線の光量をより向上させ、表示装置での画像の表示品質をより向上させる。
【発明を実施するための最良の形態】
【００５９】
以下、前述した用語の正義及び添付した図面を参照して本発明の望ましい実施例を詳細に説明する。
【００６０】
以下、本発明で頻繁に使われる用語は次のようである。
【００６１】
本発明で頻繁に使われる用語である「漏洩」は、光源から非可視光線が予想なく出射されることを意味する。
【００６２】
また、本発明で頻繁に使われる用語である「漏洩」は、光源から意図的に非可視光線が出射されたことを意味することもできる。
【００６３】
また、本発明で頻繁使われる用語である「漏洩」は、光源に発生された非可視光源が光源に形成された蛍光層を通じて可視光源に変更されなくて出射されたことを意味することもできる。
【００６４】
また、本発明で頻繁に使われる用語である「再生」は、非可視光線を可視光線に変更させることを意味する。
光学ユニット
本発明による光学ユニットは、非可視光線を可視光線に変更させる光再生部材を含む。光再生部材は、可視光源を用いて画像を表示する液晶表示装置で発生した画像の輝度をより向上させ、非可視光線による液晶の劣化を減少させる。
【００６５】
本発明による光再生部材は、接着剤の代わりに光によって液晶表示装置を構成する複数の部品に被着される。本発明による光再生部材組成物は、接着剤を含んでいないので、光源から発生した可視光線の光量が減少されることを抑制することができる。
【００６６】
本発明による光再生部材は、蛍光体（ｆｌｕｏｒｅｓｃｅｎｔ  ｂｏｄｙ）、光重合開始剤及び光重合性モノマー又は光重合成オリゴマーを含む光交架橋性高分子溶液である。
【００６７】
本実施例で、光再生部材組成物は、アクリル系紫外線硬化樹脂、例えば、アクリレート系、エポキシアクリレート系、ポリエステルアクリレート系、ウレタンアクリレート系などの光重合性モノマー、オリゴマー、アセトフェノン系、ベンゾフェノン系、チオキサントン系などの光重合開始系を含む。
【００６８】
溶液状態の光再生部材生成物は、液晶表示装置を構成する複数の部品に塗布され、塗布された光再生部材組成物は、紫外線ランプなどで発生された紫外線によって薄膜の形態で硬化される。ここで、紫外線によって硬化される光再生部材の体積収縮率は２０％以下であることが望ましい。
実施例１
本発明による光学ユニットの光再生部材は、下記の化学式（１）乃至（３）の蛍光物質を含む。
【００６９】
（１）２，２’（２，５−ｔｈｉｏｐｈｅｎｅｄｉｙｌ）ｂｉｓ[５−（１，１−ｄｉｍｅｔｈｙｌｅｔｈｙｌ）ｂｅｎｚｏｘａｚｏｌｅ]
（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、
（３）２−ｃｙａｎｏ−１，３−Ｎ，Ｎ−ｄｉｅｔｈｙlamino−３−ｉｍｉｎｏｂｅｎｚｉｍｉｄａｚｏｌｏ[１，２−ａ]ｐｙｒｉｄｉｎｏ[３，４-b]-２H−ｃｈｒｏｍｅｎｅ
この蛍光体は、それぞれ同じ合量で配合され、この蛍光体は、メチルメタアクリレートモノマー対比２ｗｔ％で配合される。この配合剤に紫外線光重合開始剤をメチルメタアクリレートモノマー対比０．０１ｗｔ％で配合する。
【００７０】
また、光重合を通じて高分子皮膜が網状構造を有するようにするために、光重合開始剤が配合された配合剤にはハイドローヘキシルメチルメタアクリレートをメチルメタアクリレート対比１０ｗｔ％を添加し、攪拌機で1時間以上攪拌する。
【００７１】
このような光再生部材組成物が液晶表示装置の複数の部品に塗布された後、光再生部材組成物に約１０００ｍＷの紫外線ランプで発生した紫外線が走査されることによってメチルメタアクリレートモノマーは、光重合開始剤によって実質的に１００％に近く光重合されて高分子皮膜が形成される。
【００７２】
ハイドローヘキシルメチルメタアクリレートが高分子鎖の間のネットワークで形成されて高分子皮膜の強度をより向上させ、ネットワークの間間に三種類の蛍光体が配置されることによって高分子皮膜に入射された紫外線は可視光線に変更される。
実施例２
本発明による光学ユニットの光再生部材は、下記の化学式（４）乃至（６）の蛍光物質を含む。
【００７３】
（４）２，２（４，４−ｄｉｐｈｅｎｏｌｖｉｎｙｌ）ｄｉｂｅｎｚｏｘａｚｏｌ
（５）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎ
（６）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅ
この蛍光体は、それぞれ２：１：１．５の合量で配合され、この蛍光体は、メチルメタアクリレートモノマー対比１０ｗｔ％配合される。この配合剤に紫外線光重合開始剤をメチルメタアクリレートモノマー対比０．０５ｗｔ％で配合する。また、光重合を通じて高分子皮膜が網状構造を有するようにするために、光重合開始剤が配合された配合剤にはハイドローヘキシルメチルメタアクリレートをメチルメタアクリレート対比１０ｗｔ％を添加し、攪拌機で1時間以上攪拌する。
【００７４】
このような光再生部材組成物が液晶表示装置の複数の部品に塗布された後、光再生部材組成物に約１０００ｍＷの紫外線ランプで発生した紫外線が走査されることで、メチルメタアクリレートモノマーは、光重合開始剤によって実質的に１００％に近く光重合されて高分子皮膜が形成される。ハイドローヘキシルメチルメタアクリレートが高分子鎖の間のネットワークで形成され、高分子皮膜の強度をより向上させ、ネットワークの間間に三種類の蛍光体が配置されることによって高分子皮膜に入射された紫外線は可視光線に変更される。
実施例３
本発明の第３実施例による光学ユニットの光再生部材は、化学式（７）乃至（９）に表示された三種類の蛍光物質を含む。
【００７５】
（７）１，４−ｂｉｓ（ｂｅｎｚｏｘａｚｏｌｙｌ−２−ｙｌ）ｎａｐｈｔｈａｌｅｎｅ
（８）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎ
（９）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅ
この三種類の蛍光体は、それぞれ１：２：１．５の合量で配合され、これの蛍光体は、メチルメタアクリレートモノマー対比４ｗｔ％で配合される。この配合剤に紫外線光重合開始剤をメチルメタアクリレートモノマー対比０．０２ｗｔ％で配合する。
【００７６】
また、光重合を通じて高分子皮膜が網状構造を有するようにするために、光重合開始剤が配合された配合剤にはハイドローヘキシルメチルメタアクリレートをメチルメタアクリレート対比１０ｗｔ％を添加し、攪拌機で1時間以上攪拌する。
【００７７】
このような光再生部材組成物が液晶表示装置の複数の部品に塗布された後、光再生部材組成物に約１０００ｍＷの紫外線ランプで派生した紫外線が走査されることによってメチルメタアクリレートモノマーは、光重合開始剤によって実質的に１００％に近く光重合されて高分子皮膜が形成される。
【００７８】
ハイドローヘキシルメチルメタアクリレートが高分子鎖の間のネットワークで形成されて高分子皮膜の強度をより向上させ、ネットワークの間間に三種類の蛍光体が配置されることによって高分子皮膜に入射された紫外線は可視光線に変更される。
実施例４
図１は、本発明の第４実施例による光再生部材を含む光学ユニットを図示した概念図である。
【００７９】
本実施例で、光学ユニット３００は、光源１０及び光再生部材４０を含む。
【００８０】
光源１０は、非可視光線２０、例えば、紫外線を可視光線３０に変更させる。例えば、光源１０は、放電ランプである冷陰極線管ランプであることができる。
【００８１】
光源１０は、本体１２、水銀のような作動ガス及び蛍光層１４を含む。外部から印加された放電電圧によって本体１２の内部では放電が発生され、放電によって作動ガスから非可視光線２０が発生される。蛍光層１４は、非可視光線２０を可視光線３０に変更させる。
【００８２】
光源１０からは主に可視光線３０が出射されるが、いろいろな理由によって微量の非可視光線２０が光源１０から漏洩する可能性がある。光源１０から非可視光線２０が漏洩する場合、可視光線３０の光量は、相対的に減少され、光源１０から漏洩した非可視光線２０によって光源１０の周辺に配置された他の部材が損傷又は劣化される可能性がある。
【００８３】
光再生部材４０は、光源１０から漏洩した非可視光線を可視光線に再生させる。これによって、可視光線を用いて表示装置から発生された画像の輝度はより向上され、非可視光線による液晶の劣化は減少される。
【００８４】
光再生部材４０は、接着剤の代わりに紫外線によって光源１０の周辺に配置された複数の部品に被着される。本発明による光再生部材４０は、接着剤を含んでいないため、光源１０から発生した可視光線の光量が減少されることを抑制することができる。
【００８５】
本発明による光再生部材４０は、蛍光体、光重合開始剤及び光重合性モノマー又は光重合性オリゴマーを含む光架橋性高分子溶液である。
【００８６】
本実施例で、光再生部材４０は、アクリル系紫外線硬化樹脂、例えば、アクリレート系、エポキシアクリレート系、ポリエステルアクリレート系、ウレタンアクリレート系などの光重合成モノマー、オリゴマー、アセトフェノン系、ベンゾフェノン系、チオキサントン系などの光重合開始剤を含む。本実施例で、紫外線によって硬化される光再生部材の体積収縮率は約２０％以下であることが望ましい。
【００８７】
このような光再生部材４０は、光源１０から出射された可視光線３０は通過させ、光源１０から可視光線３０と共に漏洩した非可視光線２０は、可視光線３０に変更させる。従って、光再生部材４０によって画像を表示するのに必要な可視光線３０の光量をより増加させることができ、光源１０の周辺に配置された他の部材が非可視光線２０によって劣化されることを抑制することができる。
実施例５
図２は、本発明の第５実施例によって光再生部材を含む光学ユニットを図示した概念図である。
【００８８】
図２を参照すると、光学ユニット７００は光再生部材８０が一体に形成された光源５０を含む。
【００８９】
本実施例で、光源５０は、非可視光線６０、例えば、紫外線を可視光線７０に変更させる。例えば、光源５０は、放電ランプである冷陰極線管ランプであることができる。
【００９０】
参照符号５２は光源５０の本体である。本体５２は、水銀などのような作動ガス及び蛍光層５４を含む。本体５２の内部では、外部から印加された放電電圧によって放電が発生され、放電によって作動ガスからは非可視光線６０が発生される。蛍光層５４は、非可視光線６０を可視光線７０に変更させる。
【００９１】
光源５０からは主に可視光線７０が出射されるが、光源５０から少量の非可視光線６０が漏洩することができる。光源５０から非可視光線２０が漏洩する場合、可視光線３０の光量は、相対的に減少され、光源５０から漏洩した非可視光線６０は、光源５０の周辺に配置された他の部材が損傷又は劣化される可能性がある。
【００９２】
本実施例で、光再生部材８０は、光源５０から漏洩した非可視光線を可視光線に再生させる。これによって、可視光線を用いて表示装置から発生した画像の輝度はより向上され、非可視光線による液晶の劣化は減少される。
【００９３】
光再生部材８０は、接着剤の代わりに紫外線によって光源５０の周辺に配置された複数の部品に被着される。本発明による光再生部材８０は、接着剤を含んでいないため、光源５０から発生した可視光線の光量が減少されることを抑制することができる。
【００９４】
本発明による光再生部材８０は、蛍光体、光重合開始剤及び光重合性モノマー又は光重合性オリゴマーを含む光架橋性高分子溶液である。
【００９５】
本実施例で、光再生部材４０は、アクリル系紫外線硬化樹脂、例えば、アクリレート系、エポキシアクリレート系、ポリエステルアクリレート系、ウレタンアクリレート系などの光重合成性モノマー、オリゴマー、アセトフェノン系、ベンゾフェノン系、チオキサントン系などの光重合開始剤を含む。本実施例で、紫外線によって硬化される光再生部材の体積収縮率は約２０％以下であることが望ましい。
【００９６】
光再生部材８０は、光源５０の表面に一体に形成される。光再生部材８０は、光源５０から出射された可視光線７０は通過させ、光源５０から可視光線７０と共に漏洩した微量の非可視光線６０は、可視光線７０に再生させる。従って、光再生部材８０によって画像を表示するのに必要な可視光線７０の光量をより増加させることができ、非可視光線６０によって光源５０の周辺に配置された他の部材の損傷及び劣化を防止することができる。
実施例６
図３は、本発明の第６実施例によって光再生部材を含む光学ユニットを概念的に図示した断面図である。
【００９７】
図３を参照すると、本実施例による光学ユニット７００は、光源９０、光反射部材１００及び光再生部材１１０を含む。
【００９８】
光源９０は、例えば、円筒の形状を有し、内部から発生した非可視光線１２０を可視光線１３０に変更させる放電ランプである冷陰極線管ランプである。光源９０からは主に可視光線１３０が出射されるが、少量の非可視光線１２０が光源９０から漏洩される可能性がある。
【００９９】
光反射部材１００は、光源９０の一部を囲んで、光源９０から発生された可視光線及び漏洩した非可視光線１２０を集光させる。本実施例で、光反射部材１００は、例えば、半円シリンダーの形状を有する。
【０１００】
本実施例で、光再生部材１１０は、光反射部材１００の内側の表面上に形成される。光再生部材４０は、光源９０から漏洩した非可視光線を可視光線に再生させる。これによって、可視光線を用いて表示装置から発生された画像の輝度は向上され、非可視光線による液晶の劣化は減少される。
【０１０１】
光再生部材１１０は、接着剤の代わりに紫外線によって光反射部材１００の内側の表面上に被着される。本発明による光再生部材１１０は、接着剤を含んでいないため、光源９０から発生した可視光線の光量が減少されることを抑制することができる。
【０１０２】
本発明による光再生部材１１０は、蛍光体、光重合開始剤及び光重合性モノマー又は光重合性オリゴマーを含む光架橋性高分子溶液である。
【０１０３】
本実施例で、光再生部材１１０は、三種類の蛍光体、アクリル系紫外線硬化樹脂、例えば、アクリレート系、エポキシアクリレート系、ポリエステルアクリレート系、ウレタンアクリレート系などの光重合成性モノマー、オリゴマー、アセトフェノン系、ベンゾフェノン系、チオキサントン系などの光重合開始剤を含む。本実施例で、紫外線によって硬化される光再生部材１１０の体積収縮率は約２０％以下であることが望ましい。
【０１０４】
従って、光再生部材１１０は、光源９０から漏洩した微量の非可視光線１２０を可視光線１３０に変更させる。従って、光源９０から漏洩した非可視光線１２０のうち、光反射部材１００に向かって非可視光線１２０は、光再生部材１１０によって可視光線１３０に変更される。従って、光再生部材１１０によって画像を表示するのに必要な可視光線１３０の光量をより増加させることができ、非可視光線１２０によって光源９０の周辺に配置された他の部材の劣化を抑制することができる。
実施例７
図４は、本発明の第７実施例によって光再生部材を含む光学ユニットを概念的に図示した断面図である。
【０１０５】
図４を参照すると、光学ユニット７００は、光源１６０、光反射部材１６５、導光板（ＬＧＰ）１７０及び光再生部材１８０を含む。
【０１０６】
光源１６０は、例えば、円筒の形状を有し、内部から発生した非可視光線１９０を可視光線２００に変更させる放電ランプである冷陰極線管ランプである。光源１６０からは主に可視光線２００が出射されるが、光源１６０からは少量の非可視光線１９０が漏洩する可能性がある。
【０１０７】
光反射部材１６５は、光源１６０を収納するのに適合した半円筒の形状を有する。光反射部材１６５は、光源１６０から放射上に出射された可視光線２００及び光源１６０から漏洩した非可視光線１９０を第１方向に反射させる。光反射部材１６５は、漏洩した非可視光線１９０及び可視光線２００を反射させるために、光反射率が高い青銅プレート（ｂｒｏｎｚｅ  ｐｌａｔｅ）又はアルムニウムプレートで製作されることができる。
【０１０８】
導光板１７０は、光源１６０と隣接した位置に配置され、光反射部材１６５に結合される。導光板１７０は、光源１６０から発生された可視光線２００の光学分布及び可視光線２００の方向を変更させる。
【０１０９】
本実施例で、導光板１７０は、例えば、直六面体プレートの形状を有し、導光板１７０は、複数の側面、光反射面１７４及び光出射面１７６を有する。
【０１１０】
側面は、光源１６０から非可視光線１９０及び可視光線２００が入射される光入射面１７２を含む。光反射面１７４は側面に連結され、光入射面１７２に入射された可視光線２００は、光反射面１６２によって光出射面１７６に反射される。光出射面１７６は、光反射面１７４で反射された可視光線２００を光出射面１７６を通じて導光板１７０の外部に出射させる。
【０１１１】
光再生部材１８０は、例えば、導光板１７０の光入射面１７２に形成される。光再生部材１８０は、光源１６０から漏洩した非可視光線を可視光線に再生させる。これによって、可視光線を用いて表示装置から発生された画像の輝度はより向上され、非可視光線による液晶の劣化は減少される。
【０１１２】
光再生部材１８０は、接着剤の代わりに紫外線によって導光板１７０の光入射面１７２に被着される。本発明による光再生部材１８０は、接着剤を含んでいないため、光源１６０から発生した可視光線の光量が減少されることを抑制することができる。
【０１１３】
本発明による光再生部材１８０は、蛍光体、光重合開始剤及び光重合性モノマー又は光重合性オリゴマーを含む光架橋性高分子溶液である。
【０１１４】
本実施例で、光再生部材１８０は、アクリル系紫外線硬化樹脂、例えば、アクリレート系、エポキシアクリレート系、ポリエステルアクリレート系、ウレタンアクリレート系などの光重合成性モノマー、オリゴマー、アセトフェノン系、ベンゾフェノン系、チオキサントン系などの光重合開始剤を含む。本実施例で、紫外線によって硬化される光再生部材１８０の体積収縮率は約２０％以下であることが望ましい。
【０１１５】
光再生部材１８０は、光源１４０から漏洩した非可視光線１９０を可視光線２００に変更させる。従って、光源１４０から漏洩した非可視光線１９０は、光再生部材１８０によって可視光線２００に再生され、光入射面１７２を通じて導光板１７０に入射され、これによって導光板１７０に出射される可視光線２００の光量をより増加させることができる。
実施例８
図５は、本発明の第８実施例によって光再生部材を含む光学ユニットを概念的に図示した断面図である。
【０１１６】
図５を参照すると、光学ユニット７００は、光源２１０、光反射部材２２０、導光板２３０及び光再生部材２４０を含む。
【０１１７】
光源２１０は、例えば、円筒の形状を有し、内部から発生した非可視光線２４０を可視光線２５０に変更させる冷陰極線管ランプである。光源２１０からは主に可視光線２５０が出射されるが、いろいろな理由によって光源２１０からは少量の非可視光線２４０が漏洩する可能性がある。
【０１１８】
光反射部材２２０は、光源２１０を収納し、半円筒の形状を有する。光反射部材２１０は、光源２１０から放射上に出射された可視光線２５０及び漏洩した非可視光線２４０を第１方向に反射させる。光反射部材２２０は、非可視光線２４０及び可視光線２５０を反射させるために、光反射率が高い青銅プレート又はアルムニウムプレートで製作されることができる。
【０１１９】
導光板２３０は、光源２１０と隣接した位置に配置され、光反射部材２２０に結合される。導光板２３０は、光源２１０から発生された可視光線２５０の光学分布及び可視光線２５０の方向を変更させる。
【０１２０】
本実施例で、導光板２３０は、例えば、直六面体プレートの形状を有する。導光板２３０は、側面、光反射面２３４及び光出射面２３６を含む。
【０１２１】
側面は、光源２１０から漏洩した非可視光線２４０及び出射された可視光線２５０が入射される光入射面２３２を含む。光反射面２３４は側面に連結され、光入射面２３２に入射された可視光線２５０を光出射面２３６に反射する。
【０１２２】
光出射面２３６は、光反射面２３４と向い合って光反射面２３４で反射された可視光線２５０を導光板２３０の外部に出射させる。
【０１２３】
光再生部材２６０は、ビードの形状を有し、導光板２３０の内部に複数個が配置される。光再生部材２６０は、光源２１０から漏洩した非可視光線を可視光線に再生させる。これによって、可視光線を用いて表示装置から発生された画像の輝度はより向上され、非可視光線による液晶の劣化は減少される。
【０１２４】
ビードの形状で導光板２３０の内部に複数個が配置された光再生部材４０は、蛍光体、光重合開始剤及び光重合性モノマー又は光重合性オリゴマーを含む光架橋性高分子溶液を紫外線によって球の形状に硬化させて用いる。
【０１２５】
本実施例で、ビードの形状を有する光再生部材４０は、アクリル系紫外線硬化樹脂、例えば、アクリレート系、エポキシアクリレート系、ポリエステルアクリレート系、ウレタンアクリレート系などの光重合成性モノマー、オリゴマー、アセトフェノン系、ベンゾフェノン系、チオキサントン系などの光重合開始剤を含む。
【０１２６】
ビードの形状を有する光再生部材２６０は、光入射面２３２を通じて導光板２３０の内部に入射された非可視光線２４０を導光板２３０の内部で可視光線２５０に変更する。従って、光源２１０から漏洩した非可視光線２４０は、光再生部材２６０によって可視光線２５０に変更され、これによって導光板２３０に出射される可視光線２５０の光量はより増加することができる。
実施例９
図６は、本発明の第９実施例によって光再生部材を含む光学ユニットを概念的に図示した断面図である。
【０１２７】
図６を参照すると、光学ユニット７００は、光源２７０、光反射部材２８０、導光板２９０及び光再生部材３２０を含む。
【０１２８】
光源２７０は、例えば、円筒の形状を有し、内部から発生した非可視光線３００を可視光線３１０に変更させる放電ランプである冷陰極線管ランプである。光源２７０からは主に可視光線３１０が出射されるが、いろいろな理由によって光源２７０からは少量の非可視光線３００が漏洩する可能性がある。
【０１２９】
光反射部材２８０は、光源２７０を収納し、半円筒の形状を有する。光反射部材２８０は、光源２７０から放射上に出射された可視光線３１０及び非可視光線３００を第１方向に反射させる。光反射部材２８０は、光源２７０から漏洩した非可視光線３００及び出射された可視光線３１０を反射させるために光反射率が高い青銅プレート又はアルムニウムプレートで製作されることができる。
【０１３０】
導光板２９０は、光源２７０と隣接した位置に配置され、光反射部材２８０に結合される。導光板２９０は、光源２７０から出射された可視光線３１０の光学分布及び可視光線３１０の方向を変更させる。
【０１３１】
本実施例で、導光板２９０は、例えば、直六面体プレートの形状を有する。導光板２９０は、側面、光反射面２９４及び光出射面２９６を含む。
【０１３２】
側面は、光源２７０から非可視光線３００及び可視光線３１０が入射される光入射面２９２を含む。光反射面２９４は側面に連結され、光入射面２９２に入射された可視光線３１０を光出射面２９６に反射する。光出射面２９６は、光反射面２９４と向い合って光反射面２９４で反射された可視光線３１０を導光板２９０の外部に出射させる。
【０１３３】
光再生部材３２０は、例えば、導光板２９０の光出射面２９６上に薄膜の状態に形成される。光再生部材３２０は、光源２７０から漏洩した非可視光線を可視光線に再生させる。これによって、可視光線を用いて表示装置から発生された画像の輝度はより向上され、非可視光線による液晶の劣化は減少される。
【０１３４】
光再生部材３２０は、接着剤の代わりに紫外線によって導光板２９０の光出射面２９６上に被着される。本発明による光再生部材３２０は、接着剤を含んでいないため、光源２７０から発生した可視光線の光量が減少されることを抑制することができる。
【０１３５】
本発明による光再生部材３２０は、蛍光体、光重合開始剤及び光重合性モノマー又は光重合性オリゴマーを含む光架橋性高分子溶液である。
【０１３６】
本実施例で、光再生部材３２０は、アクリル系紫外線硬化樹脂、例えば、アクリレート系、エポキシアクリレート系、ポリエステルアクリレート系、ウレタンアクリレート系などの光重合成性モノマー、オリゴマー、アセトフェノン系、ベンゾフェノン系、チオキサントン系などの光重合開始剤を含む。本実施例で、紫外線によって硬化される光再生部材３２０の体積収縮率は約２０％以下であることが望ましい。
【０１３７】
このような光再生部材３２０は、光源２７０から漏洩して導光板２９０の光入射面２９２を通過した後、光出射面２９６に出射される非可視光線３００を可視光線３１０に変更させる。従って、光源２７０から漏洩した非可視光線３００は、光再生部材３２０によって可視光線３１０に変更され、これによって導光板２９０から出射される可視光線３１０の光量はより増加することができる。
実施例１０
図７は、本発明の第１０実施例によって光再生部材を含む光学ユニットを概念的に図示した断面図である。
【０１３８】
図７を参照すると、光学ユニット７００は、光源３３０、光反射部材３４０、導光板３５０及び光再生部材３８０を含む。
【０１３９】
光源３３０は、例えば、円筒の形状を有し、内部から発生した非可視光線３６０を可視光線３７０に変更させる放電ランプである冷陰極線管ランプである。光源３３０からは主に可視光線３７０が出射されるが、いろいろな理由によって光源３３０からは少量の非可視光線３６０が漏洩する可能性がある。
【０１４０】
光反射部材３４０は、光源３３０を収納し、半円筒の形状を有する。光反射部材３４０は、光源３３０から放射上に出射された可視光線３７０及び漏洩した非可視光線３６０を第１方向に反射させる。光反射部材３４０は、光源３３０から漏洩した非可視光線３６０及び出射された可視光線３７０を反射させるために、光反射率が高い青銅プレート又はアルムニウムプレートで製作されることができる。
【０１４１】
導光板３５０は、光源３３０と隣接した位置に配置され、光反射部材３４０に結合される。導光板３５０は、光源３３０から出射された可視光線３７０の光学分布及び可視光線３７０の方向を変更させる。
【０１４２】
本実施例で、導光板３５０は、例えば、直六面体プレートの形状を有する。導光板３５０は、側面、光反射面３５４及び光出射面３５６を含む。
【０１４３】
側面は、光源３３０から漏洩した非可視光線３６０及び出射された可視光線３７０が入射される光入射面３５２を含む。光反射面３５４は側面に連結され、光入射面３５２に入射された可視光線３７０を光出射面３５６に反射させる。光出射面３５６は、光反射面３５４と向い合って光反射面３５４で反射された可視光線３６０を導光板３５０の外部に出射させる。
【０１４４】
光再生部材３８０は、例えば、導光板３８０の光出射面３５４上に形成される。光再生部材３８０は、光源３３０から漏洩した非可視光線を可視光線に再生させる。これによって、可視光線を用いて表示装置から発生された画像の輝度はより向上され、非可視光線による液晶の劣化は減少される。
【０１４５】
光再生部材３８０は、接着剤の代わりに紫外線によって光源３３０の周辺に配置された導光板３９０の光反射面３５４上に被着される。本発明による光再生部材３８０は、接着剤を含んでいないため、光源３３０から発生した可視光線の光量が減少されることを抑制することができる。
【０１４６】
本発明による光再生部材３８０は、蛍光体、光重合開始剤及び光重合性モノマー又は光重合性オリゴマーを含む光架橋性高分子溶液である。
【０１４７】
本実施例で、光再生部材４０は、アクリル系紫外線硬化樹脂、例えば、アクリレート系、エポキシアクリレート系、ポリエステルアクリレート系、ウレタンアクリレート系などの光重合成性モノマー、オリゴマー、アセトフェノン系、ベンゾフェノン系、チオキサントン系などの光重合開始剤を含む。本実施例で、紫外線によって硬化される光再生部材３８０の体積収縮率は約２０％以下であることが望ましい。
【０１４８】
このような光再生部材３８０は、光源３３０から漏洩して導光板３５０の光入射面３５２を通過して光出射面３５４に到達した非可視光線３６０を可視光線３７０に変更させる。従って、光源３３０から漏洩した非可視光線３６０は、光再生部材３８０によって可視光線３７０に変更され、これによって導光板３５０から出射される可視光線３７０の光量はより増加することができる。
実施例１１
図８は、本発明の第１１実施例によって光再生部材を含む光学ユニットを概念的に図示した断面図である。
【０１４９】
図８を参照すると、光学ユニット７００は、光源３９０、光反射部材４００、導光板４１０、反射板４２０及び光再生部材４３０を含む。
【０１５０】
光源３９０は、例えば、円筒の形状を有し、内部から発生した非可視光線４４０を可視光線４５０に変更させる冷陰極線管ランプである。光源３９０からは主に可視光線４５０が出射されるが、いろいろな理由によって光源３９０からは少量の非可視光線４４０が可視光線４５０と共に漏洩する可能性がある。
【０１５１】
光反射部材４００は、光源３９０を収納し、半円筒の形状を有する。光反射部材４００は、光源３９０から放射上に出射された可視光線４５０及び微量が漏洩した非可視光線４４０を第１方向に反射させる。光反射部材４００は、非可視光線４４０及び可視光線４５０を反射させるために光反射率が高い青銅プレート又はアルムニウムプレートで製作されることができる。
【０１５２】
導光板４１０は、光源３９０と隣接した位置に配置され、光反射部材４００に結合される。導光板４１０は、光源３９０から発生された可視光線４５０の光学分布及び可視光線４５０の方向を変更させる。
【０１５３】
本実施例で、導光板４１０は、例えば、直六面体プレートの形状を有する。導光板４１０は、側面、光反射面４１４及び光出射面４１６を含む。
【０１５４】
側面は、光源３９０から漏洩した非可視光線４４０及び可視光線４５０が入射される光入射面４１２を含む。光反射面４１４は側面に連結され、光入射面４１２に入射された可視光線４５０を光出射面４１６に反射させる。光出射面４１６は、光反射面４１４と向い合って光反射面４１４で反射された可視光線４５０を導光板４１０の外部に出射させる。
【０１５５】
反射板４２０は、導光板４１０の光反射面４１４と向い合う位置に配置される。反射板４２０は、導光板４１０の光反射面４１４から反射されない可視光線４５０を光反射面４１４に反射させる。
【０１５６】
光再生部材４３０は、反射板４２０上に配置される。望ましくは、光再生部材４３０は、反射板４２０のうち、光反射面４１４と向い合う面に形成される。光再生部材４３０は、光源３９０から漏洩した非可視光線を可視光線に再生させる。これによって、可視光線を用いて表示装置から発生された画像の輝度はより向上され、非可視光線による液晶の劣化は減少される。
【０１５７】
光再生部材４３０は、接着剤の代わりに紫外線によって光源３９０の周辺に配置された反射板４２０上に被着される。本発明による光再生部材３９０は、接着剤を含んでいないため、光源３９０から発生した可視光線の光量が減少されることを抑制することができる。
【０１５８】
本発明による光再生部材４３０は、蛍光体、光重合開始剤及び光重合性モノマー又は光重合性オリゴマーを含む光架橋性高分子溶液である。
【０１５９】
本実施例で、光再生部材４３０は、アクリル系紫外線硬化樹脂、例えば、アクリレート系、エポキシアクリレート系、ポリエステルアクリレート系、ウレタンアクリレート系などの光重合成性モノマー、オリゴマー、アセトフェノン系、ベンゾフェノン系、チオキサントン系などの光重合開始剤を含む。本実施例で、紫外線によって硬化される光再生部材４３０の体積収縮率は約２０％以下であることが望ましい。
【０１６０】
光再生部材４３０は、導光板４１０の光反射面４１４から反射板４２０に漏洩した非可視光線４４０を可視光線４５０に変更させる。従って、光源３９０から漏洩した非可視光線４４０は、反射板４２０に形成された光再生部材４３０によって可視光線４５０に変更され、これによって導光板４１０から出射される可視光線４５０の光量はより増加される。
実施例１２
図９は、本発明の第１２実施例によって光再生部材を含む光学ユニットを概念的に図示した断面図である。
【０１６１】
図９を参照すると、光学ユニット７００は、光源４６０、光反射部材４７０、導光板４８０、光学部材４９０及び光再生部材５００を含む。
【０１６２】
光源４６０は、例えば、円筒の形状を有し、内部から発生した非可視光線５１０を可視光線５２０に変更させる放電ランプである冷陰極線管ランプである。光源４６０からは主に可視光線５２０が出射されるが、いろいろな理由によって光源４６０からは少量の非可視光線５１０が漏洩する可能性がある。
【０１６３】
光反射部材４７０は、光源４６０を収納し、半円筒の形状を有する。光反射部材４７０は、光源４６０から放射上に出射された可視光線５２０及び漏洩した非可視光線５１０を第１方向に反射させる。光反射部材４７０は、非可視光線５１０及び可視光線５２０を反射させるために青銅プレート又はアルムニウムプレートを含むことができる。
【０１６４】
導光板４８０は、光源４６０と隣接した位置に配置され、光反射部材４７０に結合される。導光板４８０は、光源４６０から発生された可視光線５２０の光学分布及び可視光線５２０の方向を変更させる。
【０１６５】
本実施例で、導光板４８０は、例えば、直六面体プレートの形状を有する。導光板４８０は、側面、光反射面４８４及び光出射面４８６を含む。
【０１６６】
側面は、光源４６０から漏洩した非可視光線５１０及び可視光線５２０が入射される光入射面４８２を含む。光反射面４８４は側面に連結され、光入射面４８２に入射された可視光線５２０を光出射面４８６に反射する。光出射面４８６は、光反射面４８４と向い合って光反射面４８４で反射された可視光線５２０を導光板４８０の外部に出射させる。
【０１６７】
光学部材４９０は、導光板４８０の光出射面４８６と向い合う位置に配置される。光学部材４９０は、導光板４８０から出射された可視光線５２０の光学分布を変更する。本実施例で、光学部材４９０は、可視光線５２０を拡散させて輝度分布をより均一にするための拡散シート、可視光線５２０を集光させるためのプリズムシート及び可視光線５２０の輝度を向上させるための輝度向上シートなどを含むことができる。
【０１６８】
光再生部材５００は、光学部材４９０を構成する拡散シート、プリズムシート及び輝度向上シートのうち、いずれか一つ以上に配置されることができる。光再生部材５００は、光源４６０から漏洩した非可視光線を可視光線に再生させる。これによって、可視光線を用いて表示装置から発生された画像の輝度はより向上され、非可視光線による液晶の劣化は減少される。
【０１６９】
光再生部材５００は、接着剤の代わりに紫外線によって光源４６０の周辺に配置された光学部材４９０に被着される。本発明による光再生部材５００は、接着剤を含んでいないため、光源４６０から発生した可視光線の光量が減少されることを抑制することができる。
【０１７０】
本発明による光再生部材５００は、蛍光体、光重合開始剤及び光重合性モノマー又は光重合性オリゴマーを含む光架橋性高分子溶液である。
【０１７１】
本実施例で、光再生部材５００は、蛍光体、アクリル系紫外線硬化樹脂、例えば、アクリレート系、エポキシアクリレート系、ポリエステルアクリレート系、ウレタンアクリレート系などの光重合成性モノマー、オリゴマー、アセトフェノン系、ベンゾフェノン系、チオキサントン系などの光重合開始剤を含む。本実施例で、紫外線によって硬化される光再生部材の体積収縮率は約２０％以下であることが望ましい。
【０１７２】
このような光再生部材４３０は、光出射面４８６を通じて光源４６０から漏洩した非可視光線４５０に変更させる。従って、光源４６０から漏洩した非可視光線５１０は、光学部材４９０に形成された光再生部材５００によって可視光線５２０に変更され、これによって導光板４８０から出射される可視光線５２０の光量はより増加される。
実施例１３
図１０は、本発明の第１３実施例による光学ユニットの光再生部材の構造を図示した断面図である。
【０１７３】
図１及び図１０を参照すると、光再生部材４０は、光源１０から出射された可視光線３０及び光源１０から漏洩した非可視光線２０を可視光線３０に変更させる。
【０１７４】
これを具現するために、光再生部材４０は、蛍光体４２及び蛍光体４２が一定の形状、例えば、薄膜の形状を有するようにする高分子バインダー４４を含む。本実施例で蛍光体４２及び高分子バインダー４４の混合物は、例えば、流動性を有する液体である。
【０１７５】
本実施例で、蛍光体４２は、互いに異なる波長の長さを有する非可視光線、例えば、紫外線を可視光線に変更させる。
【０１７６】
光再生部材４０に含まれる蛍光体４２の例としては、下記の化学式（１）、（２）、（３）で表示される物質を挙げることができる。これは一つ又は少なくとも二つ以上が複合的に混合して用いることができる。
【０１７７】
（１）２，２’（２．５−ｔｈｉｏｐｈｅｎｅｄｉｙｌ）ｂｉｓ[５−（１，１−ｄｉｍｅｔｈｙｌｅｔｈｙｌ）ｂｅｎｚｏｘａｚｏｌｅ]
（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、
（３）２−ｃｙａｎｏ−１，３−Ｎ，Ｎ−ｄｉｅｔｈｙlamino−３−ｉｍｉｎｏｂｅｎｚｉｍｉｄａｚｏｌｏ[１，２−ａ]ｐｙｒｉｄｉｎｏ[３，４-b]-２H−ｃｈｒｏｍｅｎｅ
この蛍光体は、それぞれ同じ合量で配合され、この蛍光体は、メチルメタアクリレートモノマー対比２ｗｔ％で配合される。この配合剤に紫外線光重合開始剤をメチルメタアクリレートモノマー対比０．０１ｗｔ％で配合する。
【０１７８】
また、光重合を通じて高分子皮膜が網状構造を有するようにするために、光重合開始剤が配合された配合剤にはハイドローヘキシルメチルメタアクリレートがメチルメタアクリレート対比１０ｗｔ％で添加される。
【０１７９】
また、本発明の光再生部材４０に含まれる蛍光体４２の他の例としては、下記の化学式（４）乃至（６）の物質を挙げることができる。
【０１８０】
（４）２，２（４，４−ｄｉｐｈｅｎｏｌｖｉｎｙｌ）ｄｉｂｅｎｚｏｘａｚｏｌ
（５）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎ
（６）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅ
この蛍光体は、それぞれ２：１：１．５の合量で配合され、この蛍光体は、メチルメタアクリレートモノマー対比１０ｗｔ％で配合される。この配合剤に紫外線光重合開始剤をメチルメタアクリレートモノマー対比０．０５％で配合する。また、光重合を通じて高分子皮膜が網状構造を有するようにするために、光重合開始剤が配合された配合剤にはハイドローヘキシルメチルメタアクリレートがメチルメタアクリレート対比１０ｗｔ％で添加される。
【０１８１】
また、本発明の光再生部材４０に含まれる蛍光体４２の他の例としては、下記の化学式（７）乃至（９）の物質を挙げることができる。
【０１８２】
（７）１，４−ｂｉｓ（ｂｅｎｚｏｘａｚｏｌｙｌ−２−ｙｌ）ｎａｐｈｔｈａｌｅｎｅ
（８）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎ
（９）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅ
この三種類の蛍光体は、それぞれ１：２：１．５の合量で配合され、これの蛍光体は、メチルメタアクリレートモノマー対比４ｗｔ％で配合される。この配合剤に紫外線光重合開始剤をメチルメタアクリレートモノマー対比０．０２ｗｔ％で配合する。
【０１８３】
また、光重合を通じて高分子皮膜が網状構造を有するようにするために、光重合開始剤が配合された配合剤にはハイドローヘキシルメチルメタアクリレートがメチルメタアクリレート対比１３ｗｔ％で添加される。
【０１８４】
一方、光再生部材４０の蛍光体４２を固着させるための高分子バインダー４４は、紫外線開始剤、光重合性モノマー、オリゴマーなどを含むことができる。
【０１８５】
紫外線開始剤は、アセトフェノン系開始剤、ベンゾフェノン開始剤及びチオキサントン系開始剤などを挙げることができる。これは一つ又は混合して用いることができる。
【０１８６】
本発明で用いることができる光重合性モノマーの例としては、アクリレート系モノマー、エポキシアクリレート系モノマー、ポリエステルアクリレート系モノマー、ウレタンアクリレート系モノマーなどを挙げることができる。これは一つ又は混合して用いることができる。
【０１８７】
本発明で用いられることができる光重合性オリゴマーの例としては、アクリレート系モノマー、エポキシアクリレート系モノマー、ポリエステルアクリレート系モノマー、ウレタンアクリレート系モノマーなどのオリゴマーを挙げることができる。これは一つ又は混合して用いることができる。
実施例１４
図１１は、本発明の第１４実施例によって光再生部材を含む光学ユニットを概念的に図示した断面図である。
【０１８８】
図１１を参照すると、光学ユニット７００は、光再生部材５４０が一体に形成された光源５３０を含む。
【０１８９】
本実施例で、光源５３０は、非可視光線５５０、例えば、紫外線を可視光線５６０に変更させる。例えば、光源５３０は、放電ランプである冷陰極線管ランプであることができる。
【０１９０】
光源５３０は、水銀のような作動ガス及び蛍光層を含む。光源５３０には、光源５３０の内部で放電を起こすための放電電圧が印加され、作動ガスは放電によって非可視光線５５０を発生させる。光源５３０の蛍光層は非可視光線５５０を可視光線５６０に変更させる。
【０１９１】
本実施例で、光源５３０は、第１方向に延在し、第１方向と実質的に直交する第２方向に少なくとも二つが並列配置される。このように配置された光源５３０は大型液晶表示装置などに可視光線５６０を供給するのに特に適合している。
【０１９２】
参照符号５７０は、光源５３０から発生した可視光線５６０を光源５３０の上部に反射させ、光源５３０から発生した可視光線５６０の光量を増加させるための反射板である。
【０１９３】
本実施例で、光源５３０からは主に可視光線５６０が出射されるが、いろいろな理由によって光源５３０からは少量の非可視光線５５０が漏洩する可能性がある。光源５３０から非可視光線５５０が漏洩する場合、可視光線５６０の光量は、相対的に減少され、光源５３０から漏洩した非可視光線５５０によって光源５６０の周辺に配置された他の部材が損傷又は劣化される可能性がある。
【０１９４】
光再生部材５４０は、並列配置された各光源５３０の表面に一体に形成される。光再生部材５４０は、光源５３０から漏洩した非可視光線を可視光線に再生させる。これによって、可視光線を用いて表示装置で発生された画像の輝度はより向上され、非可視光線による液晶の劣化は減少される。
【０１９５】
並列配置された各光源５３０の表面に一体に形成された光再生部材５４０は、接着剤の代わりに紫外線によって光源５３０上に被着される。本発明による光再生部材５４０は、接着剤を含んでいないため、光源３９０から発生した可視光線の光量が減少されることを抑制することができる。
【０１９６】
本発明による光再生部材５４０は、蛍光体、光重合開始剤及び光重合性モノマー又は光重合性オリゴマーを含む光架橋性高分子溶液である。
【０１９７】
本実施例で、 光再生部材５４０は、アクリル系紫外線硬化樹脂、例えば、アクリレート系、エポキシアクリレート系、ポリエステルアクリレート系、ウレタンアクリレート系などの光重合性モノマー、オリゴマー、アセトフェノン系、ベンゾフェノン系、チオキサントン系などの光重合開始系を含む。本実施例で、紫外線によって硬化される光再生部材５４０の体積収縮率は約２０％以下であることが望ましい。
【０１９８】
このような光再生部材５４０は、光源５３０から出射された可視光線５６０は通過させ、光源５３０から漏洩した非可視光線５５０は、可視光線５６０に変更させる。従って、光再生部材５４０によって画像を表示するのに必要な可視光線５６０の光量をより増加させることができ、非可視光線５５０によって光源５３０の周辺に配置された他の部材が損傷又は劣化されることを抑制することができる。
実施例１５
図１２は、本発明の第１５実施例よる光再生部材を含む光学ユニットを概念的に図示した断面図である。
【０１９９】
図１２を参照すると、光学ユニット７００は、光源５７０、反射板５８０及び光再生部材５９０を含む。
【０２００】
本実施例で、光源５７０は、非可視光線６００、例えば、紫外線を可視光線６１０に変更させる。例えば、光源５７０は、冷陰極線管ランプであることができる。
【０２０１】
光源５７０は、水銀のような作動ガス及び蛍光層を含む。光源５７０には光源５７０の内部で放電を起こすための放電電圧が印加され、作動ガスは放電によって非可視光線６００を発生させる。光源５７０の蛍光層は、非可視光線６００を可視光線６１０に変更させる。
【０２０２】
本実施例で、光源５７０は、第１方向に延在し、第１方向と実質的に直交する第２方向に少なくとも二つが並列配置される。このように配置された光源５７０は、大型液晶表示装置などに可視光線５７０を供給するのに特に適合している。
【０２０３】
反射板は５８０は、光源５７０の下部に配置され、光源５７０から発生した可視光線６１０を光源５７０の上部に反射させ、光源５７０から発生した可視光線６１０の光量をより増加させる。
【０２０４】
本実施例では、光源５７０からは主に可視光線６１０が出射されるが、いろいろな理由によって光源５７０からは少量の非可視光線６００が漏洩する可能性がある。光源５７０から非可視光線６００が漏洩する場合、可視光線６１０の光量は相対的に減少され、光源５７０から漏洩した非可視光線６００によって光源５７０の周辺に配置された他の部材が劣化される可能性がある。
【０２０５】
光再生部材５９０は、光源５７０と向い合う反射板５８０の表面に形成される。光再生部材５９０は、光源５７０から漏洩した非可視光線を可視光線に再生させる。これによって、可視光線を用いて表示装置から発生された画像の輝度はより向上され、非可視光線による液晶の劣化は減少される。
【０２０６】
光再生部材５９０は、接着剤の代わりに紫外線によって反射板５８０上に被着される。本発明による光再生部材５９０は、接着剤を含んでいないため、反射板５８０から発生した可視光線の光量が減少されることを抑制することができる。
【０２０７】
本発明による光再生部材５９０は、蛍光体、光重合開始剤及び光重合性モノマー又は光重合性オリゴマーを含む光架橋性高分子溶液である。
【０２０８】
本実施例で、光再生部材５９０は、アクリル系紫外線硬化樹脂、例えば、アクリレート系、エポキシアクリレート系、ポリエステルアクリレート系、ウレタンアクリレート系などの光重合成モノマー、オリゴマー、アセトフェノン系、ベンゾフェノン系、チオキサントン系などの光重合開始剤を含む。本実施例で、紫外線によって硬化される光再生部材５９０の体積収縮率は約２０％以下であることが望ましい。
【０２０９】
光再生部材５９０は、光源５７０から漏洩した可視光線６００を可視光線６１０に変更させ、光源５７０側に反射させる。従って、光再生部材５９０によって画像を表示するのに必要な可視光線６１０の光量をより増加させることができ、非可視光線６００によって光源５７０の周辺に配置された他の部材の損傷及び劣化を防止することができる。
実施例１６
図１３は、本発明の第１６実施例によって光再生部材を含む光学ユニットを概念的に図示した断面図である。
【０２１０】
図１３を参照すると、光学ユニット７００は、光源６２０、反射板６３０、光学部材６４０及び光再生部材６５０を含む。
【０２１１】
本実施例で、光源６２０は、非可視光線６６０、例えば、紫外線を可視光線６７０に変更させる。例えば、光源６２０は、冷陰極線管ランプであることができる。
【０２１２】
光源６２０は、水銀のような作動ガス及び蛍光層を含む。光源６２０には、光源６２０の内部から放電を起こすための放電電圧が印加され、作動ガスは放電によって非可視光線６６０を発生させる。光源６２０の蛍光層は、非可視光線６６０を可視光線６７０に変更させる。
【０２１３】
本実施例で、光源６２０は、第１方向に延在し、第１方向と実質的に直交する第２方向に少なくとも二つが並列配置される。このように配置された光源６２０は大型液晶表示装置などに可視光線６７０を供給するのに特に適合している。
【０２１４】
反射板６３０は、光源６２０尾の下部に配置され、光源６２０から発生した可視光線６７０を光源６２０の上部に反射させ、光源６２０から発生した可視光線６７０の光量をより増加させる。
【０２１５】
本実施例で、光源６２０からは主に可視光線６７０が出射されるが、いろいろな理由によって光源６２０からは少量の非可視光線６６０が漏洩する可能性がある。光源６２０から非可視光線６６０が漏洩する場合、可視光線６７０の光量は、相対的に減少され、光源６２０から漏洩した非可視光線６６０によって光源６２０の周辺に配置された他の部材が損傷又は劣化される可能性がある。
【０２１６】
光再生部材６４０は、光源６２０の上部に配置され、光源６２０から発生した可視光線６７０の光学特性を向上させる。本実施例で、光学部材６４０は、例えば、光源６２０から発生した可視光線６７０を拡散させ、相互離隔された光源６２０によって発生した輝線を除去する拡散プレート又は拡散シートである。
【０２１７】
光再生部材６５０は、光源６２０と向い合う光学部材６４０の表面に形成される。光再生部材６５０は、光源６２０から漏洩した非可視光線を可視光線に再生させる。これによって、可視光線を用いて表示装置から発生された画像の輝度はより向上され、非可視光線による液晶の劣化は減少される。
【０２１８】
光再生部材６５０は、接着剤の代わりに紫外線によって光源６２０上に被着される。本発明による光再生部材６５０は、接着剤を含んでいないので、光源６２０から発生した可視光線の光量が減少されることを抑制することができる。
【０２１９】
本発明による光再生部材６５０は、蛍光体、光重合開始剤及び光重合性モノマー又は光重合性オリゴマーを含む光架橋性高分子溶液である。
【０２２０】
本実施例で、光再生部材６５０は、アクリル系紫外線硬化樹脂、例えば、アクリレート系、エポキシアクリレート系、ポリエステルアクリレート系、ウレタンアクリレート系などの光重合性モノマー、オリゴマー、アセトフェノン系、ベンゾフェノン系、チオキサントン系などの光重合開始系を含む。本実施例で、紫外線によって硬化される再生部材６５０の体積収縮率は約２０％以下であることが望ましい。
【０２２１】
光再生部材６５０は、光源６２０から漏洩して光学部材６４０に到達した非可視光線６７０を可視光線６１０に変更させる。従って、光再生部材６５０によって画像を表示するのに必要な可視光線６７０の光量をより増加させることができ、非可視光線６７０によって光源６２０の周辺に配置された他の部材の損傷及び劣化を防止することができる。
実施例１７
図１４は、本発明の第１７実施例による光学ユニットの部分切開斜視図である。図１５は、Ａ1−Ａ2線に沿って見た断面図である。
【０２２２】
図１４及び図１５を参照すると、光学ユニット７００は、全体的にプレートの形状を有し、非可視光線を可視光線に変更させる本体６８０及び光再生部材６９０を含む。
【０２２３】
本体６８０は、第１基板６８１、第２基板６８２、密封部材６８３、空間分割部材６８４及び放電電極６８５を含む。
【０２２４】
第１基板６８１は、透明なプレートの形状を有する。本実施例で、第１基板６８１は、望ましくは、透明なガラス基板を含み、直六面体プレートの形状を有する。
【０２２５】
第２基板６８２は、透明な物質を含んだプレートの形状を有したり、不透明な物質を含んだプレートの形状を有する。本実施例で、第２基板６８２は、第１基板６８１と同じ形状及び平面積を有する直六面体プレートの形状を有する。
【０２２６】
密封部材６８３は、第１基板６８１と第２基板６８２との間に介在され、密封部材６８３は、第１と第２基板（６８１，６８２）との間に空間が形成されるように開口が形成された四角フレームの形状を有する。
【０２２７】
一方、第１と第２基板（６８１，６８２）との間に形成された空間の体積をより減少させるために、第１と第２基板（６８１，６８２）との間には空間分割部材６８４が配置される。空間分割部材６８４は、空間で放電を起こすのに必要な放電電圧を低くして、これによって消費電力はより減少する。
【０２２８】
空間分割部材６８４は、第１と第２基板（６８１，６８２）との間に形成された空間を少なくとも二つ以上に分割する。ここで、空間分割部材６８４は、少なくとも二つに分割されて形成された放電空間６８８を相互連結するための溝及び/又はホールを含むことができる。
【０２２９】
各放電空間６８８は、第１方向に延在し、第２方向に少なくとも二つが並列配置される。ここで、第１方向及び第２方向は実質的に直行する方向である。
【０２３０】
第１基板６８１、第２基板６８２、密封部材６８３及び空間分割部材６８４によって分割された放電空間６８８には放電ガスが注入される。放電ガスは、放電によって非可視光線、例えば、紫外線を発生させる。
【０２３１】
一方、第１基板６８１と向い合う第２基板６８２の面及び第２基板６８２と向い合う第１基板６８１の面には、それぞれ蛍光層（６８６，６８７）が形成される。蛍光層（６８６，６８７）は、放電ガスから発生した非可視光線を可視光線に変更させる。
【０２３２】
放電電極６８５は、空間分割部材６８４によって分割された各放電空間６８８の両側に配置され、放電電極６８５は、外部から印加された放電電圧を各放電空間６８８に印加して各放電空間６８８で放電が発生するようにする。望ましくは、放電電極６８５は、空間分割部材６８４と垂直な方向に配置される。
【０２３３】
第１基板６８１及び/又は第２基板６８２の外側面に配置された放電電極６８５に電源が印加されると、分割された放電空間６８８には放電が発生され、放電によって分割された放電空間６８８に配置された放電ガスからは非可視光線が発生される。各放電空間６８８で発生された非可視光線は、蛍光層（６８６，６８７）によって可視光線に変更され、可視光線は第２基板を通過する。
【０２３４】
本体６８０からは主に可視光線が出射されるが、いろいろな理由によって本体６８０からは少量の非可視光線が漏洩する可能性がある。本体６８０から非可視光線が漏洩する場合、可視光線の光量は、相対的に減少され、本体６８０から出射された非可視光線によって本体６８０の周辺に配置された他の部材が損傷又は劣化される可能性がある。
【０２３５】
光再生部材６９０は、本体６８０の第２基板６８２に形成される。光再生部材６９０は、本体６８０から漏洩した非可視光線を可視光線に再生させる。これによって、可視光線を用いて表示装置で発生された画像の輝度はより向上され、非可視光線による液晶の劣化は減少される。
【０２３６】
本体６８０の表面に一体に形成された光再生部材６９０は、接着剤の代わりに紫外線によって本体６８０上に被着される。本発明による光再生部材６９０は、接着剤を含んでいないため、本体６８０から発生した可視光線の光量が減少されることを抑制することができる。
【０２３７】
本発明による光再生部材６９０は、蛍光体、光重合開始剤及び光重合性モノマー又は光重合性オリゴマーを含む光架橋性高分子溶液である。
【０２３８】
本実施例で、光再生部材６９０は、アクリル系紫外線硬化樹脂、例えば、アクリレート系、エポキシアクリレート系、ポリエステルアクリレート系、ウレタンアクリレート系などの光重合成モノマー、オリゴマー、アセトフェノン系、ベンゾフェノン系、チオキサントン系などの光重合開始剤を含む。本実施例で、紫外線によって硬化される光再生部材６９０の体積収縮率は約２０％以下であることが望ましい。
【０２３９】
光再生部材６９０は、本体６８０の第２基板６８２に漏洩する非可視光線を可視光線に変更させ、第２基板６８２から出謝される可視光線の光量を大きく増加させ、本体６８０の周辺に配置された部材が本体６８０から漏洩した非可視光線によって劣化されることを抑制する。
光再生部材の組成方法
実施例１８
図１６は、本発明の第１８実施例による光再生部材の製造方法を図示した順序図である。
【０２４０】
図１６を参照すると、本実施例による光再生部材の製造方法は非可視光線を可視光線に変更させる蛍光体混合物を製造する過程及び蛍光体混合物を非可視光線の進行経路上に配置された光学ユニットに塗布する過程を含む。
【０２４１】
光再生部材を製造するために、前に、非可視光線、例えば、約２００ｎｍ〜３８０ｎｍの波長の長さを有する紫外線を可視光線に変更させる蛍光体及び高分子バインダーを混合して蛍光体混合物を製造する。本実施例で、蛍光体混合物は液体の状態である。
【０２４２】
光再生部材に含まれる蛍光体の例としては次の化学式（１）乃至（９）に表示される物質を挙げることができる。これは、一つ又は少なくとも二つ以上が複合的に混合されて用いられることができる。
【０２４３】
（１）２，２’（２，５−ｔｈｉｏｐｈｅｎｅｄｉｙｌ）ｂｉｓ[５−（１，１−ｄｉｍｅｔｈｙｌｅｔｈｙｌ）ｂｅｎｚｏｘａｚｏｌｅ]
（２）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎと、
（３）２−ｃｙａｎｏ−１，３−Ｎ，Ｎ−ｄｉｅｔｈｙlamino−３−ｉｍｉｎｏｂｅｎｚｉｍｉｄａｚｏｌｏ[１，２−ａ]ｐｙｒｉｄｉｎｏ[３，４-b]-２H−ｃｈｒｏｍｅｎｅ
この蛍光体は、それぞれ同じ合量で配合され、この蛍光体は、メチルメタアクリレートモノマー対比２ｗｔ％で配合される。この配合剤に紫外線光重合開始剤をメチルメタアクリレートモノマー対比０．０１ｗｔ％で配合する。
【０２４４】
また、光重合を通じて高分子皮膜が網状構造を有するようにするために、光重合開始剤が配合された配合剤にはハイドローヘキシルメチルメタアクリレートがメチルメタアクリレート対比１０ｗｔ％を添加される。
【０２４５】
（４）２，２（４，４−ｄｉｐｈｅｎｏｌｖｉｎｙｌ）ｄｉｂｅｎｚｏｘａｚｏｌ
（５）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎ
（６）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅ
この蛍光体は、それぞれ２：１：１．５の合量で配合され、この蛍光体は、メチルメタアクリレートモノマー対比１０ｗｔ％で配合される。この配合剤に紫外線光重合開始剤をメチルメタアクリレートモノマー対比０．０５％で配合する。また、光重合を通じて高分子皮膜が網状構造を有するようにするために、光重合開始剤が配合された配合剤にはハイドローヘキシルメチルメタアクリレートがメチルメタアクリレート対比１０ｗｔ％添加される。
【０２４６】
また、本発明の光再生部材４０に含まれる蛍光体４２の他の例としては、下記の化学式（７）乃至（９）物質を挙げることができる。
【０２４７】
（７）１，４−ｂｉｓ（ｂｅｎｚｏｘａｚｏｌｙｌ−２−ｙｌ）ｎａｐｈｔｈａｌｅｎｅ
（８）３−（５−ｃｈｌｏｒｏ−１，３−ｂｅｎｚｏｘａｚｏｌｅ−２−ｙｌ）−７−（ｄｉｅｔｈｙｌａｍｉｎｏ）ｃｏｕｍａｒｉｎ
（９）２−ｃｙａｎｏ−１，３−Ｎ，Ｎ−ｄｉｅｔｈｙｌａｍｉｎｏ−３−ｉｍｉｎｏｂｅｎｚｉｍｉｄａｚｏｌｏ[１，２−ａ]ｐｙｒｉｄｉｎｏ[３，４−ｂ]−２Ｈ−ｃｈｒｏｍｅｎｅ
この三種類の蛍光体は、それぞれ１：２：１．５の合量で配合され、これの蛍光体は、メチルメタアクリレートモノマー対比４ｗｔ％で配合される。この配合剤に紫外線光重合開始剤をメチルメタアクリレートモノマー対比０．０２ｗｔ％で配合する。
また、光重合を通じて高分子皮膜が網状構造を有するようにするために、光重合開始剤が配合された配合剤にはハイドローヘキシルメチルメタアクリレートがメチルメタアクリレート対比１３ｗｔ％を添加される。
【０２４８】
一方、光再生部材の蛍光体は、蛍光体を薄膜形態に維持するために、高分子バインダーと混合される。
【０２４９】
高分子バインダーは、光重合開始剤、光重合性モノマー、オリゴマーなどを含むことができる。
【０２５０】
紫外線開始剤の例としては、アセトフェノン系開始剤、ベンゾフェノン系開始剤及びチオキサントン系開始剤などを挙げることができる。これは一つ又は混合して用いることができる。
【０２５１】
本発明で用いることができる光重合性モノマーの例としては、アクリレート系モノマー、エポキシアクリレート系モノマー、ポリエステルアクリレート系モノマー、ウレタンアクリレート系モノマーなどを挙げることができる。これは一つ又は混合して用いることができる。
【０２５２】
本発明で用いることができるオリゴマーの例としては、アクリレート系モノマー、エポキシアクリレート系モノマー、ポリエステルアクリレート系モノマー、ウレタンアクリレート系モノマーなどのオリゴマーを挙げることができる。これは一つ又は混合して用いることができる。
【０２５３】
蛍光体、紫外線開始剤、光重合性モノマー及びオリゴマーが混合された蛍光体混合物は、非可視光線が通過する光学ユニット、例えば、光源の表面、光源の一部を囲む光反射カバー、光源と隣接した位置に配置された導光板の光入射面、導光板の光反射面、導光板の光出射面、導光板の光反射面と向い合う位置に配置された反射板、導光板の光出射面と向い合う位置に配置された光学部材などに塗布されることができる。
【０２５４】
その後、フィルムの形態で塗布された蛍光体混合物には、紫外線が走査され、この結果、フィルムの形態で塗布された蛍光体混合物には光重合反応が発生してフィルムの形態で塗布された蛍光体混合物は薄膜の形態に硬化される。
【０２５５】
これとは違って、光学ユニットに塗布された蛍光体混合物の表面がマイクロプリズムの形状を有するようにして、光再生部材の平面積を向上させてより効率的に非可視光線を可視光線に変形することもできる。
表示装置
実施例１９
図１７は、本発明の第１９実施例による表示装置の概念図である。
【０２５６】
図１７を参照すると、表示装置９５０は、光源１０、光再生部材４０及び表示パネル９００を含む。
【０２５７】
本実施例で、光源１０は、非可視光線２０、例えば、紫外線を可視光線３０に変更させる。例えば、光源１０は冷陰極線管ランプであることができる。
光源１０からは、主に可視光線３０が出射されるが、いろいろな理由によって光源１０からは少量の非可視光線２０が漏洩することができる。光源１０から非可視光線２０が漏洩する場合、可視光線３０の光量は、相対的に減少され、光源１０から漏洩した非可視光線２０によって光源１０の周辺に配置された表示パネル９００が損傷又は劣化される可能性がある。特に、表示パネル９００が液晶を含む液晶表示パネルである場合、液晶を劣化させて液晶の寿命を短縮させることができる。
【０２５８】
光再生部材４０は、光源１０と表示パネル９００との間に配置される。光再生部材４０は、光源１０から出射された可視光線３０は通過させ、光源１０から漏洩した非可視光線２０は可視光線３０に変更させる。
【０２５９】
本実施例で、光再生部材４０は、非可視光線２０を可視光線３０に変更させる蛍光体及び蛍光体を薄膜の形態に形成するための高分子バインダーを含む。
【０２６０】
表示パネル９００は、光再生部材４０を通過した可視光線３０を情報が含まれた画像９４０に変更する。
【０２６１】
本実施例で、光再生部材４０は、表示パネル９００から画像９４０を表示するのに必要な可視光線３０の光量を大きく増加させ、表示パネル９００で表示される画像９４０の品質を大きく向上させることができ、非可視光線２０によって光源１０の周辺に配置された表示パネル９００が劣化又は損傷することを防止することができる。
実施例２０
図１８は、本発明の第２０実施例による表示装置の概念図である。本発明の他の実施例による表示装置は、光再生部材を除くと前述した表示装置の実施例と同じである。従って、同じ部材に対しては、前述した実施例と同じ参照番号で表記し、その重複された説明は省略する。
【０２６２】
図１８を参照すると、光再生部材８０は、光源５０の表面に一体に形成される。光再生部材８０は、光源５０から出射された可視光線７０は通過させ、光源５０から漏洩した非可視光線６０は可視光線７０に変更させる。
【０２６３】
従って、光再生部材８０によって画像を表示するのに必要な可視光線７０の光量をより増加させることができ、非可視光線６０によって光源５０の周辺に配置された表示パネル９００の劣化又は損傷を防止することができる。
実施例２１
図１９は、本発明の第２１実施例による表示装置の概念図である。本発明のまた他の実施例による表示装置は、光再生部材、導光板及び光再生部材を除くと、前述した表示装置の実施例と同じである。従って、同じ部材に対しては前述した実施例と同じ参照番号で表記し、その重複された説明は省略する。
【０２６４】
光源１４０は、光源１４０の一部を囲む光反射部材１５０に受容され、光入射面１７２、光反射面１７４及び光出射面１７６を含む導光板１７０は光反射部材１５０に結合される。
【０２６５】
導光板１７０の光入射面１７２には光再生部材１８０が配置される。光再生部材１８０によって光源１４０から漏洩した非可視光線を可視光線に変更させる。光再生部材１８０によって光源１４０から漏洩した非可視光線が可視光線に変更されることで、導光板１７０から出射される可視光線の光量をより増加させ、表示パネル９００で発生した画像９４０の表示品質を向上させ、非可視光線によって表示パネル９００が損傷することを防止する。
【０２６６】
これとは違って、光再生部材１８０は、光反射部材１５０の内側面、導光板１７０の光反射面１７４及び導光板１７０の光出射面１７６に形成してもよい。
実施例２２
図２０は、本発明の第２２実施例による表示装置の概念図である。本発明のまた他の実施例による表示装置は、反射板及び光再生部材を除くと、前述した表示装置の実施例と同じである。従って、同じ部材に対しては前述した実施例と同じ参照番号で表記し、その重複された説明は省略する。
【０２６７】
図２０参照すると、導光板４１０の光反射面４１４と向い合う位置には光反射面４１４から漏洩した可視光線４５０を導光版４１０に向かって反射させる反射板４２０が配置され、反射板４２０には光再生部材４３０が配置される。光再生部材４３０は、光反射面４１４から漏洩した非可視光線４４０を可視光線４５０に変更させて表示装置９００から発生した画像９４０の表示品質をより向上させる。
実施例２３
図２１は、本発明の第２３実施例による表示装置の概念図である。本発明のまた他の実施例による表示装置は光学部材及び光再生部材を除くと、前述した表示装置の実施例と同じである。従って、同じ部材に対しては前述した実施例と同じ参照番号で表記し、その重複された説明は省略する。
【０２６８】
図２１を参照すると、表示パネル９００と導光板４８０との間には光学部材５００が配置され、光学部材５００には光再生部材４９０が配置される。光再生部材４９０は光源４６０及び導光板４８０を通過した非可視光線５１０を可視光線５２０に変更して表示パネル９００に入射される可視光線５２０の光量を増加させ表示パネル９００から発生した画像９４０の表示品質をより向上させる。
実施例２４
図２２は、本発明の第２４実施例による表示装置の概念図である。本発明のまた他の実施例による表示装置は、光源の配置を除くと、前述した表示装置の実施例と同じである。従って、同じ部材に対しては前述した実施例と同じ参照番号で表記し、その重複された説明は省略する。
【０２６９】
図２２を参照すると、表示パネル９００の下部には少なくとも二つの光源５３０が並列される。光源５３０は内部から発生した非可視光線（図示せず）を可視光線５６０に変更させて出射し、光源５３０の表面には光源５３０から表示パネル９００に向かって漏洩した非可視光線を可視光線に変更させる光再生部材５４０が配置される。
【０２７０】
光再生部材５４０は、光源５３０から漏洩した非可視光線を可視光線５６０に変更させ、表示パネル９００に入射される光の光量を大きく向上させ、表示パネル９００から出射された画像９４０の表示品質を大きく向上させる。
実施例２５
図２３は、本発明の第２５実施例による表示装置による表示装置の概念図である。本発明のまた他の実施例による表示装置は、光学部材及び光再生部材を除くと、前述した表示装置の実施例と同じである。従って、同じ部材に対しては前述した実施例と同じ参照番号で表記し、その重複された説明は省略する。
【０２７１】
図２３を参照すると、表示パネル９００と表示パネル９００の下部に並列配置された複数の光源６２０との間には光学部材６４０が配置される。光学部材６４０は相互所定の間隔に離隔された光源６２０の間で輝線が発生しないようにする。
【０２７２】
光再生部材６５０は、光学部材６４０に配置され、光源６２０から漏洩した非可視光線６６０を可視光線６７０に変更して表示パネル９００に入射される可視光線６７０の光量６７０をより向上させ、表示パネル９００から発生された画像９４０の表示品質をより向上させる。
実施例２６
図２４は、本発明の第２６実施例による表示装置による表示装置の概念図である。本発明のまた他の実施例による表示装置は、表示パネル及び光再生部材を除くと、前述した表示装置の実施例と同じである。従って、同じ部材に対しては前述した実施例と同じ参照番号で表記し、その重複された説明は省略する。
【０２７３】
表示パネル９００は、第１基板９１１、第１基板９１１と向い合う第２基板９１２及び第１基板９１１と第２基板９１２との間に介在された液晶層９１３を含む。第１基板９１１には、マトリクスの形状を有する複数の画素電極が配置され、各画素電極には駆動信号を指定されたタイミングに画素電極に提供する薄膜トランジスタが配置される。第２基板９１２には画素電極と向い合う共通電極が形成される。
【０２７４】
光再生部材９２０は、表示パネル９００の第１基板９１１に配置される。光再生部材９２０は、光源７００から発生された可視光線３０及び光源７００から漏洩した非可視光線２０を可視光線３０に変換させて表示パネル９００から発生される画像の表示品質をより向上させ、液晶層９１３が紫外線によって劣化されることを防止する。
【産業上の利用可能性】
【０２７５】
以上で、詳細に説明したように、光源で可視光線を発生した途中に漏洩した非可視光線を可視光線に変更して光源から発生した可視光線の光量を向上させ、非可視光線によって光源の周辺に配置された部材が損傷することを防止し、光源から発生した可視光線の光量をより増加させて表示パネルで表示される画像の表示品質をより向上させる。
【０２７６】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【０２７７】
【図１】本発明の第４実施例による光学ユニットを図示した概念図である。
【図２】本発明の第５実施例による光学ユニットを図示した概念図である。
【図３】本発明の第６実施例による光学ユニットを概念的に図示した断面図である。
【図４】本発明の第７実施例による光学ユニットを概念的に図示した断面図である。
【図５】本発明の第８実施例による光学ユニットを概念的に図示した断面図である。
【図６】本発明の第９実施例による光学ユニットを概念的に図示した断面図である。
【図７】本発明の第１０実施例による光学ユニットを概念的に図示した断面図である。
【図８】本発明の第１１実施例による光学ユニットを概念的に図示した断面図である。
【図９】本発明の第１２実施例による光学ユニットを概念的に図示した断面図である。
【図１０】本発明の第１３実施例による光学ユニットの光再生部材の構造を図示した概念図である。
【図１１】本発明の第１４実施例による光学ユニットを概念的に図示した断面図である。
【図１２】本発明の第１５実施例による光学ユニットを概念的に図示した概念図である。
【図１３】本発明の第１６実施例による光学ユニットを概念的に図示した概念図である。
【図１４】本発明の第１７実施例による光学ユニットの部分切開斜視図である。
【図１５】図１４のＡ1−Ａ2に沿って見た断面図である。
【図１６】本発明の第１８実施例による光再生部材の製造方法を図示した順序図である。
【図１７】本発明の第１９実施例による表示装置の概念図である。
【図１８】本発明の第２０実施例による表示装置の概念図である。
【図１９】本発明の第２１実施例による表示装置の概念図である。
【図２０】本発明の第２２実施例による表示装置の概念図である。
【図２１】本発明の第２３実施例による表示装置の概念図である。
【図２２】本発明の第２４実施例による表示装置の概念図である。
【図２３】本発明の第２５実施例による表示装置の概念図である。
【図２４】本発明の第２６実施例による表示装置の概念図である。
【符号の説明】
【０２７８】
１０、５０、９０、１４０、１６０、２１０、２７０、３３０、３９０、４６０、５３０、５７０、６２０、７００    光源
１２、５２、６８０    本体
１４、５４、６８６、６８７    蛍光層
２０、６０、１２０、１９０、２４０、３００、３６０、４４０、５１０、５５０、６００、６６０    非可視光線
３０、７０、１３０、２００、２５０、３１０、３７０、４５０、５２０、５６０、６１０、６７０    可視光線
４０、８０、１１０、１６５、１８０、２４０、２６０、３２０、３８０、４３０、５００、５４０、５９０、６５０、６９０、９２０    光再生部材
４２    蛍光体
４４    高分子バインダー
１００、１５０、１６５、２２０、２８０、３４０、４００、４７０    光反射部材
１７０、２３０、２９０、３５０、４１０、４８０    導光板
１７２、２３２、２９２、３５２、４１２、４８２    光入射面
１７４、２３４、２９４、３５４、４１４、４８４    光反射面
１７６、２３６、２９６、３５６、４１６、４８６    光出射面
３００、７００    光学ユニット
４２０、５８０、６３０    反射板
４９０、６４０    光学部材
６８１、９１１    第１基板
６８２、９１２    第２基板
６８３    密封部材
６８４    空間分割部材
６８８    放電空間
９００    表示パネル
９１３    液晶層
９４０    画像
９５０    表示装置
【図１】
2006085121.tif 000003
【図２】
2006085121.tif 000004
【図３】
2006085121.tif 000005
【図４】
2006085121.tif 000006
【図５】
2006085121.tif 000007
【図６】
2006085121.tif 000008
【図７】
2006085121.tif 000009
【図８】
2006085121.tif 000010
【図９】
2006085121.tif 000011
【図１０】
2006085121.tif 000012
【図１１】
2006085121.tif 000013
【図１２】
2006085121.tif 000014
【図１３】
2006085121.tif 000015
【図１４】
2006085121.tif 000016
【図１５】
2006085121.tif 000017
【図１６】
2006085121.tif 000018
【図１７】
2006085121.tif 000019
【図１８】
2006085121.tif 000020
【図１９】
2006085121.tif 000021
【図２０】
2006085121.tif 000022
【図２１】
2006085121.tif 000023
【図２２】
2006085121.tif 000024
【図２３】
2006085121.tif 000025
【図２４】
2006085121.tif 000026